(57)【要約】【課題】外光を照明光源とする反射モードと、バックライトを用いる透過モードの両モードでの画像表示を可能とした液晶表示装置を提供することを課題の一とする。【解決手段】１つの画素において、液晶層を介して入射する光を反射して表示を行う領域（反射領域）と、バックライトからの光を透過して表示を行う領域（透過領域）とを設け、照明光源として、外光を用いる反射モードと、バックライトを用いる透過モードの両モードでの画像表示を可能とする。また、１つの画素にはそれぞれ別の画素電極層に接続された２つのトランジスタが設けられ、２つのトランジスタを別々に動作させることによって、反射領域の表示と、透過領域の表示とを独立して制御することができる。【選択図】図１
2020177251.tif 000002
【特許請求の範囲】
【請求項１】
画素を有する表示パネルと、バックライトと、画像処理回路と、を有し、
前記画素は、第１のサブ画素を有し、
前記第１のサブ画素は、第１の画素電極と、第１のトランジスタと、を有し、
前記バックライトは、第１の波長の光を発する第１の発光素子と、第２の波長の光を発する第２の発光素子と、青色を呈する第３の波長の光を発する第３の発光素子と、を有し、
前記第１のトランジスタは、前記第１の画素電極に画像信号を伝達する機能を有し、
前記画像処理回路は、フィールドシーケンシャル信号生成回路を有し、
前記フィールドシーケンシャル信号生成回路は、１フレームの表示期間を制御する機能を有し、
前記１フレームの表示期間は、第１乃至第３の期間を有し、
前記第１の期間は、前記第１の発光素子が点灯し続いて前記第３の発光素子が点灯し、
前記第２の期間は、前記第２の発光素子が点灯し続いて前記第３の発光素子が点灯し、
前記第３の期間は、前記第３の発光素子が点灯する、液晶表示装置。
【発明の詳細な説明】
【技術分野】
【０００１】
トランジスタで構成された回路を有する半導体装置およびその作製方法に関する。例えば
、液晶表示パネルに代表される電気光学装置を部品として搭載した電子機器に関する。
【背景技術】
【０００２】
液晶表示装置において、高品位な画像を得るために、画素電極をマトリクス状に配置し、
画素電極の各々に接続するスイッチング素子としてトランジスタを用いたアクティブマト
リクス型液晶表示装置が注目を集めている。
【０００３】
画素電極の各々に接続するスイッチング素子として、金属酸化物をチャネル形成領域とす
るトランジスタを用いるアクティブマトリクス型液晶表示装置は、既に知られている（特
許文献１及び特許文献２参照）。
【０００４】
また、アクティブマトリクス型液晶表示装置には大きく分けて透過型と反射型の二種類の
タイプが知られている。
【０００５】
透過型の液晶表示装置は、冷陰極蛍光ランプなどのバックライトを用い、液晶の光学変調
作用を利用して、バックライトからの光が液晶を透過して液晶表示装置外部に出力される
状態と、出力されない状態とを選択し、明と暗の表示を行わせ、さらにそれらを組み合わ
せることで、画像表示を行うものである。
【０００６】
透過型の液晶表示装置は、バックライトを利用するため、屋外などの外光が強い環境では
表示を認識することが困難である。
【０００７】
また、反射型の液晶表示装置は、液晶の光学変調作用を利用して、外光、即ち入射光が画
素電極で反射して装置外部に出力される状態と、入射光が装置外部に出力されない状態と
を選択し、明と暗の表示を行わせ、さらにそれらを組み合わせることで、画像表示を行う
ものである。
【０００８】
反射型の液晶表示装置は、透過型の液晶表示装置と比較して、バックライトを使用しない
ため、消費電力が少ないといった長所を有しており、携帯用の情報端末としての需要が高
まっている。
【０００９】
反射型の液晶表示装置は、外光を利用するため、屋外などの外光が強い環境での画像表示
に向いている。一方、液晶表示装置の周囲が薄暗い、即ち外光が弱い環境では表示を認識
することが困難である。
【先行技術文献】
【特許文献】
【００１０】
【特許文献１】特開２００７−１２３８６１号公報
【特許文献２】特開２００７−９６０５５号公報
【発明の概要】
【発明が解決しようとする課題】
【００１１】
液晶表示装置の周囲が薄暗い環境でも画像表示が認識できる液晶表示装置を提供すること
を課題の一とする。
【００１２】
また、外光を照明光源とする反射モードと、バックライトを用いる透過モードの両モード
での画像表示を可能とした液晶表示装置を提供することを課題の一とする。
【課題を解決するための手段】
【００１３】
１つの画素において、液晶層を介して入射する光を反射して表示を行う領域（反射領域）
と、バックライトからの光を透過して表示を行う領域（透過領域）とを設け、照明光源と
して、外光を用いる反射モードと、バックライトを用いる透過モードの両モードでの画像
表示を可能とする。また、１つの画素にはそれぞれ別の画素電極層に接続された２つのト
ランジスタが設けられ、２つのトランジスタを別々に動作させることによって、該接続さ
れた画素電極層の表示領域を独立して制御することができる。
【００１４】
この液晶表示装置は、外光があり、その明るさが十分である場合は、反射モードとし、さ
らに静止画を表示することによって消費電力を低減できる。
【００１５】
また、外光が弱い、または全くない場合は、透過モードとしてバックライトを点灯し画像
表示を可能とする。
【００１６】
また、液晶表示装置の周囲の明るさを検知するセンサを設け、そのセンサで得られるデー
タに応じて、反射モード、透過モード、またはバックライトのオンオフ及び光量調節を行
うことが好ましい。
【００１７】
バックライトの光源としては、冷陰極蛍光ランプよりも消費電力を低減でき、光の強弱を
調節できる発光ダイオード（ＬＥＤ）を複数用いることが好ましい。バックライトにＬＥ
Ｄを用いることによって部分的に光の強弱を調節し、コントラストが大きく、色の視認性
の高い画像表示を行うことができる。
【００１８】
本明細書で開示する本発明の一態様は、表示パネルと、バックライト部と、画像処理回路
と、を有し、表示パネルは、透光性を有し、第１系統の走査線と第１系統の信号線とに接
続され、液晶の配向状態を制御する第１系統の画素電極と、第１系統の画素電極に接続さ
れるトランジスタと、が設けられた第１系統のサブ画素と、可視光を反射し、第２系統の
走査線と第２系統の信号線とに接続され、液晶の配向状態を制御する第２系統の画素電極
と、第２系統の画素電極に接続されるトランジスタと、が設けられた第２系統のサブ画素
の対を含む複数の画素と、複数の画素を含む画素部を時間的に制御する第１の駆動回路が
設けられ、バックライト部は、複数の発光素子と、複数の発光素子を時間的に制御する第
２の駆動回路を有し、画像処理回路は、画像信号を記憶する記憶回路と、記憶回路に記憶
された画像信号を比較して差分を演算する比較回路を有し、比較回路が、差分を検出した
連続するフレーム期間を動画期間であると判断し、画像処理回路が表示パネルの第１の系
統の信号線に動画を含む第１の信号を出力して、画像処理回路がバックライト部に第１の
信号と同期する第２の信号を出力する動画モードと、比較回路が、差分が検出されない連
続するフレーム期間を静止画期間であると判断し、画像処理回路が静止画期間の静止画を
白黒の静止画に変換し、画像処理回路が表示パネルの第２の系統の信号線に白黒の静止画
を含む第１の信号を出力して、画像処理回路がバックライト部に信号の出力を停止する静
止画モードを有する液晶表示装置である。
【００１９】
本明細書で開示する本発明の他の一態様は、表示パネルと、バックライト部と、画像処理
回路と、測光回路とを有し、表示パネルは、透光性を有し、第１系統の走査線と第１系統
の信号線とに接続され、液晶の配向状態を制御する第１系統の画素電極と、第１系統の画
素電極に接続されるトランジスタと、が設けられた第１系統のサブ画素と、可視光を反射
し、第２系統の走査線と第２系統の信号線とに接続され、液晶の配向状態を制御する第２
系統の画素電極と、第２系統の画素電極に接続されるトランジスタと、が設けられた第２
系統のサブ画素の対を含む複数の画素と、複数の画素を含む画素部を時間的に制御する第
１の駆動回路が設けられ、バックライト部は、複数の発光素子と、複数の発光素子を時間
的に制御する第２の駆動回路を有し、画像処理回路は、画像信号を記憶する記憶回路と、
記憶回路に記憶された画像信号を比較して差分を演算する比較回路を有し、比較回路が、
差分を検出した連続するフレーム期間を動画期間であると判断し、画像処理回路が表示パ
ネルの第１の系統の信号線に動画を含む第１の信号を出力して、画像処理回路がバックラ
イト部に第１の信号と同期する第２の信号を出力する動画モードと、比較回路が、差分が
検出されない連続するフレーム期間を静止画期間であると判断し、画像処理回路が静止画
期間の静止画を白黒の静止画に変換し、画像処理回路が表示パネルの第２の系統の信号線
に白黒の静止画を含む第１の信号を出力して、画像処理回路がバックライト部に信号の出
力を停止する静止画モードを有し、測光回路で検知した外光の明るさに応じて、静止画モ
ードと動画モードを切り替えたときの明るさをバックライトで調節する液晶表示装置であ
る。
【００２０】
本明細書で開示する本発明の他の一態様は、表示パネルと、バックライト部と、画像処理
回路と、を有し、表示パネルは、透光性を有し、第１系統の走査線と第１系統の信号線と
に接続され、液晶の配向状態を制御する第１系統の画素電極と、第１系統の画素電極に接
続される酸化物半導体層を含むトランジスタと、が設けられた第１系統のサブ画素と、可
視光を反射し、第２系統の走査線と第２系統の信号線とに接続され、液晶の配向状態を制
御する第２系統の画素電極と、第２系統の画素電極に接続される酸化物半導体層を含むト
ランジスタと、が設けられた第２系統のサブ画素の対を含む複数の画素と、複数の画素を
含む画素部を時間的に制御する第１の駆動回路が設けられ、バックライト部は、複数の発
光素子と、バックライト部の複数の発光素子を時間的に制御する第２の駆動回路を有し、
画像処理回路は、画像信号を記憶する記憶回路と、記憶回路に記憶された画像信号を比較
して差分を演算する比較回路を有し、比較回路が、差分を検出した連続するフレーム期間
を動画期間であると判断し、画像処理回路が表示パネルの第１の系統の信号線に動画を含
む第１の信号を出力して、画像処理回路がバックライト部に第１の信号と同期する第２の
信号を出力する動画モードと、比較回路が、差分が検出されない連続するフレーム期間を
静止画期間であると判断し、画像処理回路が静止画期間の静止画データを白黒の静止画に
変換し、画像処理回路が表示パネルの第２の系統の信号線に白黒の静止画を含む第１の信
号を出力して、画像処理回路がバックライト部に信号の出力を停止する静止画示モードを
有する液晶表示装置である。
【００２１】
上記構成は、上記課題の少なくとも一つを解決する。
【００２２】
また、一つの画素に、構造体を複数設け、構造体の側面上に反射電極を設け、構造体上部
に透明電極を有する画素電極を用いることも本発明の一つである。
【００２３】
また、本明細書の開示する液晶表示装置と、さらに太陽電池とを有し、太陽電池と、表示
パネルとを開閉自在に装着し、太陽電池からの電力を表示パネル、バックライト部、また
は画像処理回路に供給する電子機器を提供することができる。
【００２４】
なお、本明細書中において半導体特性を利用することで機能しうる装置全般を指して半導
体装置ともいい、電気光学装置、半導体回路および電子機器は全て半導体装置であるとい
える。
【発明の効果】
【００２５】
外光の明るさが様々な環境に応じて画像表示が可能な液晶表示装置を提供することができ
る。また、静止画像の表示において低消費電力を実現することもできる。
【図面の簡単な説明】
【００２６】
【図１】液晶表示装置の一形態を説明するブロック図。
【図２】液晶表示装置の一形態を説明する図。
【図３】液晶表示装置の駆動方法の一形態を説明する図。
【図４】液晶表示装置の駆動方法の一形態を説明する図。
【図５】液晶表示装置の駆動方法の一形態を説明する図。
【図６】液晶表示装置の一形態を説明する図。
【図７】液晶表示装置の一形態を説明する図。
【図８】液晶表示装置の一形態を説明する図。
【図９】液晶表示装置の一形態を説明する図。
【図１０】液晶表示装置の一形態を説明する図。
【図１１】液晶表示装置に適用できるトランジスタの一形態を説明する図。
【図１２】液晶表示装置に適用できるトランジスタの作製方法の一形態を説明する図。
【図１３】電子機器の一形態を説明する図。
【図１４】液晶表示装置の一形態を説明する図。
【図１５】液晶表示装置の一形態を説明する図。
【図１６】液晶表示装置の一形態を説明する図。
【発明を実施するための形態】
【００２７】
以下では、本発明の実施の形態について図面を用いて詳細に説明する。ただし、本発明は
以下の説明に限定されず、その形態および詳細を様々に変更し得ることは、当業者であれ
ば容易に理解される。また、本発明は以下に示す実施の形態の記載内容に限定して解釈さ
れるものではない。
【００２８】
（実施の形態１）
本実施の形態では、静止画モードと動画モードを有する液晶表示装置について図１を用い
て説明する。なお、本明細書において、表示装置が表示装置に入力する画像信号を静止画
と判断しておこなう動作を静止画モード、動画と判断して行う動作を動画モードというも
のとする。
【００２９】
本実施の形態の液晶表示装置１００は、Ａ／Ｄ変換回路１０２、画像処理回路１１０、表
示パネル１２０、及びバックライト部１３０を有する（図１参照）。
【００３０】
画像処理回路１１０は、記憶回路１１１、比較回路１１２、選択回路１１５、表示制御回
路１１３、及びフィールドシーケンシャル信号生成回路１１４を有する。
【００３１】
表示パネル１２０は、駆動回路１２１、及び画素部１２２を有する。画素部１２２は、画
素１２３を有し、画素１２３は、第１系統の走査線と第１系統の信号線とに接続された第
１系統のサブ画素１２３ａ、並びに第２系統の走査線と第２系統の信号線とに接続された
第２系統のサブ画素１２３ｂを有する。また、サブ画素１２３ａ、及びサブ画素１２３ｂ
は対になって画素部１２２にマトリクス状に画素１２３として複数配置されている。
【００３２】
また、サブ画素１２３ａは第１のトランジスタと、該第１のトランジスタに接続された画
素電極と、容量素子を有する。該画素電極とそれに対向する対向電極との間に液晶層を挟
持して液晶素子が形成されており、該画素電極は透光性を有している。なお、本明細書に
おいて、可視光を透過する透光性を有している電極を透過電極、または透明電極ともいう
。
【００３３】
また、サブ画素１２３ｂは第２のトランジスタと、該第２のトランジスタに接続された画
素電極と、容量素子を有する。該画素電極とそれに対向する対向電極との間に液晶層を挟
持して液晶素子が形成されており、該画素電極は液晶層を介して入射する光を反射する。
【００３４】
液晶素子の一例としては、液晶の光学的変調作用によって光の透過又は非透過を制御する
素子がある。その素子は一対の電極と液晶層により構造されることが可能である。なお、
液晶の光学的変調作用は、液晶にかかる電界（即ち、縦方向の電界）によって制御される
。なお、具体的には、液晶素子の一例としては、ネマチック液晶、コレステリック液晶、
スメクチック液晶、ディスコチック液晶、サーモトロピック液晶、リオトロピック液晶、
低分子液晶、高分子液晶、高分子分散型液晶（ＰＤＬＣ）、強誘電液晶、反強誘電液晶、
主鎖型液晶、側鎖型高分子液晶、バナナ型液晶などを挙げることができる。また液晶の駆
動方法としては、ＴＮ（Ｔｗｉｓｔｅｄ  Ｎｅｍａｔｉｃ）モード、ＳＴＮ（Ｓｕｐｅｒ
Ｔｗｉｓｔｅｄ  Ｎｅｍａｔｉｃ）モード、ＯＣＢ（Ｏｐｔｉｃａｌｌｙ  Ｃｏｍｐｅ
ｎｓａｔｅｄ  Ｂｉｒｅｆｒｉｎｇｅｎｃｅ）モード、ＥＣＢ（Ｅｌｅｃｔｒｉｃａｌｌ
ｙ  Ｃｏｎｔｒｏｌｌｅｄ  Ｂｉｒｅｆｒｉｎｇｅｎｃｅ）モード、ＦＬＣ（Ｆｅｒｒｏ
ｅｌｅｃｔｒｉｃ  Ｌｉｑｕｉｄ  Ｃｒｙｓｔａｌ）モード、ＡＦＬＣ（ＡｎｔｉＦｅｒ
ｒｏｅｌｅｃｔｒｉｃ  Ｌｉｑｕｉｄ  Ｃｒｙｓｔａｌ）モード、ＰＤＬＣ（Ｐｏｌｙｍ
ｅｒ  Ｄｉｓｐｅｒｓｅｄ  Ｌｉｑｕｉｄ  Ｃｒｙｓｔａｌ）モード、ＰＮＬＣ（Ｐｏｌ
ｙｍｅｒ  Ｎｅｔｗｏｒｋ  Ｌｉｑｕｉｄ  Ｃｒｙｓｔａｌ）モード、ゲストホストモー
ドなどがある。
【００３５】
バックライト部１３０はバックライト制御回路１３１、及びバックライト１３２を有する
。バックライト１３２には発光素子１３３が配置されている。
【００３６】
本実施の形態では、バックライト１３２は、複数の異なる発光色の発光素子１３３を有す
る。異なる発光色の組み合わせとしては、例えば、赤（Ｒ）、緑（Ｇ）、及び青（Ｂ）の
３種類の発光素子を用いることができる。Ｒ、Ｇ、及びＢの三原色を用いることで、フル
カラー画像を表示できる。
【００３７】
また、Ｒ、Ｇ、及びＢの発光素子から選んだ複数を同時に光らせて表現する色（例えば、
ＲとＧで表す黄（Ｙ）、ＧとＢで表すシアン（Ｃ）、ＢとＲで表すマゼンタ（Ｍ）など）
を発する別の発光素子を、Ｒ、Ｇ、及びＢの発光素子に加えて配置してもよい。
【００３８】
また、表示装置の色再現特性をより豊かにするため、三原色以外の光を発する発光素子を
加えてもよい。Ｒ、Ｇ、及びＢの発光素子を用いて表現できる色は、色度図上のそれぞれ
の発光色に対応する３点が描く三角形の内側に示される色に限られる。従って、色度図上
の該三角形の外側に配置される発光素子を別途加えることで、表示装置の色再現特性を豊
かにすることができる。
【００３９】
例えば、色度図の中心から、色度図上の青色の発光素子Ｂに対応する点に向かって外側に
位置するある座標点で表される深い青色（Ｄｅｅｐ  Ｂｌｕｅ：ＤＢ）や、色度図の中心
から、赤色の発光素子Ｒに対応する色度図上の点に向かって外側に位置するある座標点で
表されるより深い赤色（Ｄｅｅｐ  Ｒｅｄ：ＤＲ）を発する発光素子を、バックライト１
３２のＲ、Ｇ、及びＢに加えて使用することができる。
【００４０】
次に、本実施の形態で例示する表示装置における、信号の流れを説明する。
【００４１】
画像信号供給源１０１から、液晶表示装置１００にアナログ画像信号１４０が入力される
。アナログ画像信号には画像信号、例えば赤（Ｒ）、緑（Ｇ）、及び青（Ｂ）に対応する
信号が含まれている。
【００４２】
Ａ／Ｄ変換回路１０２は、アナログ画像信号をデジタル画像信号１４１（デジタル画像信
号Ｄａｔａ）に変換し、画像処理回路１１０へ出力する。画像信号を予めデジタル信号に
変換しておくことで、後に画像信号の差分を検出する際、検出を容易に行うことができ好
適である。
【００４３】
画像処理回路１１０は、入力したデジタル画像信号ＤａｔａからＬＣ画像信号１４２とバ
ックライト信号１４３を生成する。ＬＣ画像信号１４２は、表示パネル１２０を制御する
画像信号であり、バックライト信号１４３はバックライト部１３０を制御する信号である
。
【００４４】
画像処理回路１１０に設けた記憶回路１１１は、複数のフレームに関する画像信号を記憶
するための複数のフレームメモリを有する。記憶回路１１１が有するフレームメモリの数
は特に限定されるものではなく、複数のフレームに関する画像信号を記憶できる素子であ
ればよい。なおフレームメモリは、例えばＤＲＡＭ（Ｄｙｎａｍｉｃ  Ｒａｎｄｏｍ  Ａ
ｃｃｅｓｓ  Ｍｅｍｏｒｙ）、ＳＲＡＭ（Ｓｔａｔｉｃ  Ｒａｎｄｏｍ  Ａｃｃｅｓｓ  
Ｍｅｍｏｒｙ）等の記憶素子を用いて構成すればよい。
【００４５】
なおフレームメモリは、フレーム期間毎に画像信号を記憶する構成であればよく、フレー
ムメモリの数について特に限定されるものではない。またフレームメモリの画像信号は、
比較回路１１２及び表示制御回路１１３により選択的に読み出されるものである。
【００４６】
比較回路１１２は、記憶回路１１１に記憶された連続するフレーム期間の画像信号を選択
的に読み出して、連続するフレーム間での当該画像信号の比較を画素毎に行い、差分を検
出するための回路である。
【００４７】
なお、差分の検出の有無により、表示制御回路１１３及び選択回路１１５での動作が決定
されることとなる。当該比較回路１１２での画像信号の比較により、いずれかの画素で差
分が検出された際に当該差分を検出した連続するフレーム期間は、動画期間であると判断
する。一方、比較回路１１２での画像信号の比較により、全ての画素で差分が検出されな
い際に当該差分を検出しなかった連続するフレーム期間は、静止画期間であると判断する
。すなわち比較回路１１２は、連続するフレーム期間の画像信号を、比較回路１１２での
差分の検出によって、動画を表示するための画像信号であるか、または静止画を表示する
ための画像信号であるかの判断をするものである。
【００４８】
なお、当該比較により得られる差分は、一定のレベルを超えたときに、差分を検出したと
判断されるように設定してもよい。なお比較回路１１２は、差分の大きさにかかわらず、
差分の絶対値によって、差分の検出の判断をする設定とすればよい。
【００４９】
なお本実施の形態においては、比較回路１１２により連続するフレーム期間での画像信号
の差分を検出することにより動画または静止画の判断を行う構成について示したが、外部
から静止画または動画を切り替える信号を供給することにより、その切り替える信号に応
じて動画または静止画を表示する構成としてもよい。
【００５０】
なお動画は、複数のフレームに時分割した複数の画像を高速に切り替えることで人間の目
に動く画像として認識される画像をいう。具体的には、例えば１秒間に６０回（６０フレ
ーム）以上画像を切り替えることで、人間の目にはちらつきが少なく動画と認識されるも
のとなる。一方、静止画は、動画と異なり、複数のフレーム期間に時分割した複数の画像
を高速に切り替えて動作させるものの、連続するフレーム期間、例えばｎフレーム目と、
（ｎ＋１）フレーム目とで変化しない画像信号のことをいう。
【００５１】
選択回路１１５は、複数のスイッチ、例えばトランジスタで形成されるスイッチを設ける
構成とする。比較回路１１２での差分の演算により差分が検出された際、すなわち連続す
るフレーム間で表示される画像が動画の際、当該画像信号が記憶された記憶回路１１１内
のフレームメモリより画像信号を選択して表示制御回路１１３に出力するための回路であ
る。
【００５２】
なお選択回路１１５は、比較回路１１２で演算により画像信号の差分が検出されない際、
すなわち連続するフレーム間で表示される画像は静止画の際、当該画像信号について表示
制御回路１１３に出力しない回路である。静止画の際、選択回路１１５では、画像信号を
フレームメモリより表示制御回路１１３に出力しない構成とすることにより、消費電力を
削減することができる。
【００５３】
なお、本実施の形態の表示装置において、比較回路１１２が静止画と判断しておこなう動
作を静止画モード、比較回路１１２が動画と判断しておこなう動作を動画モードという。
【００５４】
また、本実施の形態で例示される画像処理回路は、モード切り替え機能を有していてもよ
い。モード切り替え機能は、当該表示装置の利用者が手動または外部接続機器を用いて当
該表示装置の動作モードを選択することで動画モードまたは静止画モードを切り替える機
能である。
【００５５】
よって、本実施の形態で例示される表示装置は、モード切り替え回路を有していてもよい
。モード切り替え回路は選択回路１１５と接続されている。モード切り替え回路は、当該
表示装置の利用者が手動または外部接続機器を用いて当該表示装置の動作モードを切り替
えるための入力手段である。
【００５６】
選択回路１１５はモード切り替え回路から入力される信号に応じて、画像信号を表示制御
回路１１３に出力することもできる。
【００５７】
例えば、静止画モードで動作している際に、利用者が動作モードを切り替えて、モード切
り替え回路から選択回路１１５にモード切り替え信号が入力された場合、比較回路１１２
が連続するフレーム期間での画像信号の差分を検出していない場合であっても、選択回路
１１５は入力される画像信号を順次表示制御回路１１３に出力するモード、すなわち動画
モードを実行できる。また、動画モードで動作している際に、利用者が動作モードを切り
替えて、モード切り替え回路から選択回路１１５にモード切り替え信号が入力された場合
、比較回路１１２が連続するフレーム期間での画像信号の差分を検出している場合であっ
ても、選択回路１１５は選択した１フレームの画像信号の信号のみを出力するモード、す
なわち静止画モードを実行できる。そのため、本実施の形態の表示装置は、動画表示モー
ドで動作している際に、複数のフレームに時分割された画像のうち、１フレームが静止画
として表示される。
【００５８】
表示制御回路１１３は、比較回路１１２での差分の検出に応じて選択回路１１５で選択さ
れた画像信号を表示パネル１２０及びバックライト部１３０に最適化するための回路であ
る。
【００５９】
例えば、デジタル画像信号１４１がＲ，Ｇ、及びＢの信号からなる場合であっても、バッ
クライト１３２が有するＲ、Ｇ、及びＢの発光素子の発光特性に合わせて画像信号を最適
化することが好ましい。また、バックライト１３２に、Ｒ、Ｇ、及びＢ以外の発光素子を
設けている場合、表示制御回路１１３は、元の画像信号から該発光素子を駆動する信号を
生成し、表示装置の色再現特性を最適化する。
【００６０】
例えば、Ｒ、Ｇ、及びＢからなるデジタル画像信号Ｄａｔａ（１）を、Ｒ、Ｇ、Ｂ、ＤＲ
、及びＤＢの５色の発光素子を設けたバックライト１３２に適したデジタル画像信号Ｄａ
ｔａ（４）に変換する場合、表示制御回路１１３は、元のデジタル画像信号Ｄａｔａ（１
）から、発光素子ＤＲ、及びＤＢを用いて表現するデジタル画像信号Ｄａｔａ（２）を生
成する。同時に、元のデジタル画像信号Ｄａｔａ（１）から発光素子ＤＲ、及びＤＢを用
いて表現するデジタル画像信号Ｄａｔａ（２）を差し引き、デジタル画像信号Ｄａｔａ（
３）を生成する。次いで、発光素子ＤＲ、及びＤＢを用いて表現するデジタル画像信号Ｄ
ａｔａ（２）と、発光素子Ｒ、Ｇ、及びＢを用いて表現するデジタル画像信号Ｄａｔａ（
３）を含む、Ｒ、Ｇ、Ｂ、ＤＲ、及びＤＢの５色の発光素子を設けたバックライト１３２
に最適化されたデジタル画像信号Ｄａｔａ（４）を生成する。
【００６１】
また、本実施の形態に例示される表示装置は第１系統の信号線に接続された第１系統のサ
ブ画素１２３ａ、並びに第２系統の信号線に接続された第２系統のサブ画素１２３ｂを有
し、表示制御回路１１３は画像信号を出力する信号線を決定する。
【００６２】
具体的には、表示制御回路１１３は、比較回路１１２が動画と判断した場合は、画像信号
を第１系統のサブ画素１２３ａに出力し、比較回路１１２が静止画と判断した場合は、画
像信号を第２系統のサブ画素１２３ｂに出力する。
【００６３】
フィールドシーケンシャル信号生成回路１１４は、表示制御回路１１３で生成した画像信
号を元に、表示パネル１２０の駆動回路１２１、及びバックライト部１３０のバックライ
ト制御回路１３１を制御するための回路である。
【００６４】
また、フィールドシーケンシャル信号生成回路１１４は、表示パネル１２０とバックライ
ト部１３０を同期するスタートパルスＳＰ、及びクロック信号ＣＫ等の制御信号の供給ま
たは停止の切り替えを制御するための回路でもある。
【００６５】
次に、フィールドシーケンシャル信号生成回路１１４が、表示パネル１２０の駆動回路１
２１、及びバックライト部１３０のバックライト制御回路１３１を制御する方法について
説明する。フィールドシーケンシャル信号生成回路１１４の動作は比較回路１１２が動画
と判断した場合と、静止画と判断した場合では異なる動作をする。なお、ここでは画像信
号はＲ、Ｇ、及びＢからなり、バックライト１３２はＲ、Ｇ、及びＢの発光素子（具体的
にはＬＥＤ）を有するものとする。
【００６６】
はじめに、比較回路１１２が動画と判断した場合のフィールドシーケンシャル信号生成回
路１１４の動作について説明する。フィールドシーケンシャル信号生成回路１１４は、動
画を含む画像信号は動画モードで処理をする。具体的には、フィールドシーケンシャル信
号生成回路１１４は、表示制御回路１１３が最適化した画像信号をそれぞれ、時間軸に対
して１／（３ｎ）倍に圧縮する。なお、ｎは、１フレームをｎ個のサブフレームに分割す
る場合に用いているｎと同値である。そして、時間軸に対して１／（３ｎ）倍に圧縮され
たＲ、Ｇ、Ｂに対応するフィールドシーケンシャルカラー画像信号（例えば、Ｒ１、Ｇ１
、Ｂ１、Ｒ２、Ｇ２、Ｂ２）を、駆動回路１２１に供給する。
【００６７】
また、フィールドシーケンシャル信号生成回路１１４は、バックライト信号１４３をバッ
クライト１３２に供給する。バックライト信号１４３は、バックライト１３２に設けたＲ
、Ｇ、及びＢの発光素子を点灯させる信号であり、Ｒ、Ｇ、Ｂに対応するフィールドシー
ケンシャルカラー画像信号と対をなす信号である。
【００６８】
また、表示パネル１２０とバックライト部１３０は、フィールドシーケンシャル信号生成
回路１１４が発する同期信号に同期して動作し、動画が表示される。
【００６９】
一方、比較回路１１２が画像信号を静止画と判断した場合、フィールドシーケンシャル信
号生成回路１１４はフィールドシーケンシャルカラー画像信号を生成せず、１フレーム分
の静止画データを表示パネル１２０の駆動回路１２１に供給する。
【００７０】
その後、フィールドシーケンシャル信号生成回路１１４は、駆動回路１２１、及びバック
ライト制御回路１３１に画像信号、及び各制御信号の供給を停止する。
【００７１】
また、実施の形態で例示される表示装置は、測光回路を有していてもよい。測光回路を設
けた表示装置は当該表示装置がおかれている環境の明るさを検知できる。その結果、測光
回路が接続された表示制御回路１１３は、測光回路から入力される信号に応じて、表示パ
ネル１２０の駆動方法を変えることができる。
【００７２】
例えば、測光回路が、本実施の形態で例示される表示装置が薄暗い環境で使用されている
ことを検知すると、表示制御回路１１３は、比較回路１１２が静止画と判断した場合であ
っても、画像信号を第１系統のサブ画素１２３ａに出力し、バックライト１３２を点灯す
る。第１系統のサブ画素１２３ａは透光性の画素電極を有するため、バックライトにより
視認性の高い静止画像を提供できる。
【００７３】
また、例えば、測光回路が、本実施の形態で例示される表示装置が極めて明るい外光下（
例えば屋外の直射日光下）で利用されていることを検知すると、表示制御回路１１３は、
比較回路１１２が動画と判断した場合であっても、画像信号を第２系統のサブ画素１２３
ｂに出力する。第２系統のサブ画素１２３ｂは液晶層を介して入射する光を反射する画素
電極を有するため、極めて明るい外光下であっても視認性の高い静止画像および動画を提
供できる。
【００７４】
本実施の形態の構成による静止画を表示する期間では、頻繁に画像信号の書き込みを行う
といった動作を削減することができる。また、バックライトを使うことなく静止画を表示
できるため、消費電力が極めて小さい。
【００７５】
また、本実施の形態で例示される表示装置は、消費電力を低減して静止画を表示できるだ
けでなく、カラーフィルタを用いることなく、フルカラー画像の表示、及び動画の表示が
可能である。カラーフィルタがバックライトの光を吸収しないため光の利用効率が高く、
フルカラー画像の表示、及び動画の表示においても消費電力が抑制されている。
【００７６】
また、複数回の画像信号の書き込みによる画像を視認する際、複数回にわたって切り替わ
る画像を人間の目は視認することとなる。そのため、人間の目には疲労として現れること
もあり得る。本実施の形態で説明したように、画像信号の書き込み回数を削減する構成と
することで、目の疲労を減らすといった効果もある。
【００７７】
なお、本実施の形態は、本明細書で示す他の実施の形態と適宜組み合わせることができる
。
【００７８】
（実施の形態２）
本実施の形態では、画素接続図、タイミングチャート等を用いて、液晶表示装置の駆動方
法について説明する。まず図２には、液晶表示装置の表示パネルの概略図について示して
いる。図２には、画素部１５１、第１の走査線１５２（ゲート線ともいう）、第１の信号
線１５３（データ線ともいう）、第２の走査線１５４、第２の信号線１５５、画素１５６
、共通電極１６９（コモン電極ともいう）、容量線１７０、第１の走査線駆動回路１５７
、第１の信号線駆動回路１５８、第２の走査線駆動回路１５９、第２の信号線駆動回路１
６０を有する。
【００７９】
画素１５６は、透過電極部１６１、反射電極部１６２に大別される。透過電極部１６１は
、画素トランジスタ１６３、液晶素子１６４、容量素子１６５を有する。画素トランジス
タ１６３はゲートが第１の走査線１５２に接続され、ソース又はドレインの一方となる第
１端子が第１の信号線１５３に接続され、ソース又はドレインの他方となる第２端子が、
液晶素子１６４の一方の電極及び容量素子１６５の第１の電極に接続される。なお液晶素
子１６４の他方の電極は、共通電極１６９に接続されている。なお容量素子１６５の第２
の電極は、容量線１７０に接続される。
【００８０】
また反射電極部１６２は、画素トランジスタ１６６、液晶素子１６７、容量素子１６８を
有する。画素トランジスタ１６６はゲートが第２の走査線１５４に接続され、ソース又は
ドレインの一方となる第１端子が第２の信号線１５５に接続され、ソース又はドレインの
他方となる第２端子が、液晶素子１６７の一方の電極及び容量素子１６８の第１の電極に
接続される。なお液晶素子１６７の他方の電極は、共通電極１６９に接続されている。な
お容量素子１６８の第２の電極は、容量線１７０に接続される。
【００８１】
なお図２において、第１の走査線１５２及び第２の走査線１５４は、第１の走査線駆動回
路１５７及び第２の走査線駆動回路１５９により別々に駆動される。また第１の信号線１
５３及び第２の信号線１５５は、第１の信号線駆動回路１５８及び第２の信号線駆動回路
１６０により、別々の画像信号（以下、第１のｄａｔａ、第２のｄａｔａという）が供給
される。そして透過電極部１６１の液晶素子１６４及び反射電極部１６２の液晶素子１６
７では、異なる画像信号に基づいた階調の制御がなされることとなる。
【００８２】
なお画素トランジスタ１６３及び画素トランジスタ１６６は、薄膜の酸化物半導体層を有
する薄膜トランジスタ（以下ＴＦＴともいう）で構成することが好ましい。
【００８３】
なお、薄膜トランジスタは、ゲートと、ドレインと、ソースとを含む少なくとも三つの端
子を有する素子であり、ドレイン領域とソース領域の間にチャネル領域を有しており、ド
レイン領域とチャネル領域とソース領域とを介して電流を流すことができる。ここで、ソ
ースとドレインとは、トランジスタの構造や動作条件等によって変わるため、いずれがソ
ースまたはドレインであるかを限定することが困難である。そこで、本書類（明細書、特
許請求の範囲又は図面など）においては、ソース及びドレインとして機能する領域を、ソ
ースもしくはドレインと呼ばない場合がある。その場合、一例としては、それぞれを第１
端子、第２端子と表記する場合がある。あるいは、それぞれを第１の電極、第２の電極と
表記する場合がある。あるいは、ソース領域、ドレイン領域と表記する場合がある。
【００８４】
なお第１の走査線駆動回路１５７、第１の信号線駆動回路１５８、第２の走査線駆動回路
１５９、第２の信号線駆動回路１６０は、画素部１５１と同じ基板上に設ける構成とする
ことが好ましいが、必ずしも画素部１５１と同一基板上に設ける必要はない。画素部１５
１と同じ基板上に第１の走査線駆動回路１５７、第１の信号線駆動回路１５８、第２の走
査線駆動回路１５９、第２の信号線駆動回路１６０を設けることで、外部との接続端子数
を削減することができ、液晶表示装置の小型化を図ることができる。
【００８５】
なお、画素１５６は、マトリクス状に配置（配列）されている。ここで、画素がマトリク
スに配置（配列）されているとは、縦方向もしくは横方向において、画素が直線上に並ん
で配置されている場合や、ギザギザな線上に配置されている場合を含む。
【００８６】
なお、ＡとＢとが接続されている、と明示的に記載する場合は、ＡとＢとが電気的に接続
されている場合と、ＡとＢとが機能的に接続されている場合と、ＡとＢとが直接接続され
ている場合とを含むものとする。
【００８７】
次いで、表示パネルの動作についてバックライトの動作とともに併せて、図３（Ａ）で説
明する。上記実施の形態でも説明したように、表示パネルの動作は大きくわけて、動画表
示期間３０１と静止画表示期間３０２に大別される。
【００８８】
なお、動画表示期間３０１において１フレーム期間の周期（またはフレーム周波数）は、
１／６０秒以下（６０Ｈｚ以上）であることが望ましい。フレーム周波数を高くすること
で、画像をみる人がちらつき（フリッカ）を感じないようにすることができる。また静止
画表示期間３０２において、１フレーム期間の周期を極端に長く、例えば１分以上（０．
０１７Ｈｚ以下）とすることで、複数回にわたって同じ画像を切り替える場合と比較して
眼精疲労を低減しうるといったことも可能である。
【００８９】
なお画素トランジスタ１６３及び画素トランジスタ１６６の半導体層として酸化物半導体
を用いた際には、オフ電流を少なくすることができる。よって、画素においては画像信号
等の電気信号の保持時間を長くすることができ、書き込み間隔も長く設定できる。よって
１フレーム期間の周期を長くすることができ、静止画表示期間３０２でのリフレッシュ動
作の頻度を少なくすることができるため、より消費電力を抑制する効果を高くできる。
【００９０】
図３（Ａ）に示す動画表示期間３０１では、上記実施の形態で説明したように、フィール
ドシーケンシャル駆動により動画を表示するための駆動回路制御信号が第１の走査線駆動
回路１５７及び第１の信号線駆動回路１５８（以下、第１の駆動回路という）に供給され
、各画素に黒の表示をするための駆動回路制御信号が第２の走査線駆動回路１５９及び第
２の信号線駆動回路１６０（以下、第２の駆動回路という）に供給され、第１の駆動回路
及び第２の駆動回路が動作する。また図３（Ａ）に示す動画表示期間３０１では、フィー
ルドシーケンシャル駆動によりカラー表示をおこなうためのバックライト信号１４３がバ
ックライトに供給され、バックライトが動作する。そして、表示パネルはカラー表示の動
画表示を行うことができる。
【００９１】
図３（Ａ）に示す静止画表示期間３０２では、上記実施の形態で説明したように、反射光
の透過または非透過により白黒の階調（図中、ＢＫ／Ｗと表記）が表現されるため、静止
画の画像信号を書き込むための駆動回路制御信号が第２の駆動回路に供給され、第２の駆
動回路が動作する。なお第２の駆動回路に、画像信号を書き込む以外の期間での駆動回路
制御信号を非動作とすることで低消費電力化を図ることができる。また図３（Ａ）に示す
静止画表示期間３０２では、外光の反射光を利用して表示を視認する構成とするため、バ
ックライト制御信号によりバックライトが非動作となる。そして、表示パネルは白黒の階
調の静止画表示を行うことができる。
【００９２】
次いで、図３（Ａ）の動画表示期間３０１について図３（Ｂ）に、静止画表示期間３０２
について図３（Ｃ）に、その詳細をタイミングチャートにて説明する。なお図３（Ｂ）及
び図３（Ｃ）に示すタイミングチャートは、説明のために誇張して表記したものであり、
特に明記する場合を除き、各信号が同期して動作するものではないことを付記する。
【００９３】
まず図３（Ｂ）について説明する。図３（Ｂ）では、一例として動画表示期間３０１にお
ける第１の走査線駆動回路１５７及び第２の走査線駆動回路１５９に供給するクロック信
号ＧＣＫ（図中、ＧＣＫ１，２）、及びスタートパルスＧＳＰ（図中、ＧＳＰ１，２）、
第１の信号線駆動回路１５８及び第２の信号線駆動回路１６０に供給するクロック信号Ｓ
ＣＫ（図中、ＳＣＫ１，２）、及びスタートパルスＳＳＰ（図中、ＳＳＰ１，２）、第１
のｄａｔａ、第２のｄａｔａ、バックライトの点灯状態について示したものである。なお
バックライトとしては、複数の発光素子の一例として、ＲＧＢの３色を順次点灯する構成
について説明することにする。なおバックライトとしては、ＬＥＤを用いることで低消費
電力化及び長寿命化を図ることができる。
【００９４】
動画表示期間３０１において、クロック信号ＧＣＫ１，２は常時供給されるクロック信号
となる。またスタートパルスＧＳＰ１，２は、垂直同期周波数に応じたパルスとなる。ま
たクロック信号ＳＣＫ１，２は常時供給されるクロック信号となる。またスタートパルス
ＳＳＰ１，２は、１ゲート選択期間に応じたパルスとなる。なお動画表示期間３０１では
、フィールドシーケンシャルで動画を表示するため、画像信号はまずＲ（赤）の表示につ
いて各画素への書き込み、次いでＲのバックライトの点灯、次いでＧ（緑）の表示につい
て各画素への書き込み、次いでＧのバックライトの点灯、次いでＢ（青）の表示について
各画素への書き込み、次いでＢのバックライトの点灯、を繰り返して画像信号を可変させ
ることで、視認者は動画でのカラー表示を視認することができる。また、動画表示期間３
０１では、第２のｄａｔａはＢＫ（黒）の階調を表示するための画像信号であり、画素１
５６の反射電極部１６２に書き込んでいく。第２のｄａｔａとして黒を表示するための画
像信号とすることで、反射電極部１６２に外光が照射される。これにより、光漏れが生じ
視認性が低下するという、透過電極部１６１の動画の視認性の問題の改善を図ることがで
きる。
【００９５】
次いで図３（Ｃ）について説明する。図３（Ｃ）では、静止画表示期間３０２について、
静止画書き込み期間３０３、静止画保持期間３０４に分けて説明を行う。
【００９６】
静止画書き込み期間３０３においては、第２の走査線駆動回路１５９に供給するクロック
信号ＧＣＫ２は一画面書き込むためのクロック信号となる。また第２の走査線駆動回路１
５９に供給するスタートパルスＧＳＰ２は、一画面書き込むためのパルスとなる。また第
２の信号線駆動回路１６０に供給するクロック信号ＳＣＫ２は一画面書き込むためのクロ
ック信号となる。また第２の信号線駆動回路１６０に供給するスタートパルスＳＳＰ２、
一画面書き込むためのパルスとなる。なお静止画書き込み期間３０３では、反射光を利用
して白黒の階調を表示するための画像信号ＢＫ／Ｗにより静止画を表示するため、カラー
表示とするためのバックライトが非点灯となる。
【００９７】
静止画保持期間３０４においては、第１の駆動回路及び第２の駆動回路を駆動するための
クロック信号ＧＣＫ１，２、スタートパルスＧＳＰ１，２、クロック信号ＳＣＫ１，２、
スタートパルスＳＳＰ１，２は、供給が停止されることとなる。そのため静止画保持期間
３０４では電力消費を低減することができ、低消費電力化を図ることができる。なお静止
画保持期間３０４では、静止画書き込み期間３０３に画素に書き込んだ画像信号が、オフ
電流が極端に小さい画素トランジスタにより保持されるため、カラー表示の静止画を１分
以上の期間保持することができる。また、静止画保持期間３０４はキャパシタに保持され
る画像信号が一定の期間の経過により変化する前に、新たに静止画書き込み期間３０３を
設けて先の期間の画像信号と同じ画像信号を書き込み（リフレッシュ動作）、再度静止画
保持期間３０４とすればよい。
【００９８】
本実施の形態において述べた液晶表示装置は、静止画表示を行う際、低消費電力化を図る
ことができる。
【００９９】
本実施の形態は、実施の形態１に記載した構成と適宜組み合わせて実施することが可能で
ある。
【０１００】
（実施の形態３）
本実施の形態では、上記実施の形態２で説明した液晶表示装置の駆動方法とは異なる構成
について、タイミングチャート等を用いて説明する。まず図４（Ａ）に、上記実施の形態
２で説明した動画表示期間３０１でのバックライトの駆動方法についてタイミングチャー
トを示し説明する。
【０１０１】
図４（Ａ）のタイミングチャートが図３（Ｂ）と異なる点は、画像信号の書き込みに続い
た、バックライトの点灯の後に、バックライトの消灯期間（図４（Ａ）のＢＬ）を設けた
点にある。次の画像信号の書き込みを行う前にバックライトを消灯する期間を設けること
で、色のちらつき等を低減し、視認性の向上を図ることができる。
【０１０２】
また図４（Ａ）と異なる構成について図４（Ｂ）に示す。図４（Ｂ）のタイミングチャー
トが図４（Ａ）と異なる点は、バックライトの消灯期間ＢＬの代わりにＢ（青）の発光期
間を設けた点にある。次の画像信号の書き込みを行う前に青色の発光期間を設けることで
消灯期間を設けた場合と同様に、色のちらつき等を低減し、視認性の向上を図ることがで
きる。
【０１０３】
また上記実施の形態２では、バックライトに用いる複数の発光素子の一例として、ＲＧＢ
の３色を用いる例について説明したが、他の構成としてもよい。一例として、図５（Ａ）
に示すように５色の発光素子３１１を用いてバックライトの制御を行う構成としてもよい
。
【０１０４】
図５（Ａ）に示す発光素子３１１には、一例として第１の赤色発光素子Ｒ１、第２の赤色
発光素子Ｒ２、緑色発光素子Ｇ、第１の青色発光素子Ｂ１、第２の青色発光素子Ｂ２につ
いて示している。次いで図５（Ｂ）において、図４（Ａ）、（Ｂ）と同様にして、上記実
施の形態２で説明した動画表示期間３０１での図５（Ａ）に示すバックライトの点灯時の
制御について説明する。
【０１０５】
図５（Ｂ）では、Ｒの画像信号の書き込みに続いた、バックライトの点灯として第１の赤
色発光素子Ｒ１及び第１の青色発光素子Ｂ１の点灯を行う。また、Ｇの画像信号の書き込
みに続いた、バックライトの点灯として緑色発光素子Ｇ及び第２の青色発光素子Ｂ２の点
灯を行う。また、Ｂの画像信号の書き込みに続いた、バックライトの点灯として第１の青
色発光素子Ｂ１及び第２の青色発光素子Ｂ２の点灯を行う。次いで、Ｒの画像信号の書き
込みに続いた、バックライトの点灯として第２の赤色発光素子Ｒ２及び第２の青色発光素
子Ｂ２の点灯を行う。また、Ｇの画像信号の書き込みに続いた、バックライトの点灯とし
て緑色発光素子Ｇ及び第１の青色発光素子Ｂ１の点灯を行う。また、Ｂの画像信号の書き
込みに続いた、バックライトの点灯として第２の青色発光素子Ｂ２及び第１の青色発光素
子Ｂ１の点灯を行う。
【０１０６】
図５（Ｂ）の構成とすることにより、ＲＧＢの色要素が切り替わる期間に青色の発光期間
を設けることができるため、図４（Ｂ）と同様の効果が得られる。また、第１の赤色発光
素子Ｒ１と第２の赤色発光素子Ｒ２、第１の青色発光素子Ｂ１と第２の青色発光素子Ｂ２
、で異なる色座標の材料による発光素子を用いることも可能となり、カラー表示における
色表現範囲を広げることができる。
【０１０７】
本実施の形態において述べた液晶表示装置は、静止画表示を行う際、低消費電力化を図る
ことができる。
【０１０８】
本実施の形態は、実施の形態１に記載した構成と適宜組み合わせて実施することが可能で
ある。
【０１０９】
（実施の形態４）
図６に液晶表示モジュール１９０の構成を示す。液晶表示モジュール１９０はバックライ
ト部１３０と、液晶素子がマトリクス状に設けられた表示パネル１２０と、表示パネル１
２０を挟む偏光板１２５ａ、及び偏光板１２５ｂを有する。バックライト部１３０には発
光素子、例えば三原色のＬＥＤ（１３３Ｒ、１３３Ｇ、及び１３３Ｂ）をマトリクス状に
配置し、また表示パネル１２０と発光素子の間に拡散板１３４を配置したものをバックラ
イト部１３０として用いることができる。また、外部入力端子となるＦＰＣ（フレキシブ
ルプリントサーキット）１２６は表示パネル１２０に設けた端子部と電気的に接続されて
いる。
【０１１０】
図６には、３色の光１３５が矢印（Ｒ、Ｇ、及びＢ）で模式的に示してある。バックライ
ト部１３０から逐次発せられるパルス状の異なる色の光が、バックライト部１３０と同期
して動作する表示パネル１２０の液晶素子により変調され、液晶表示モジュール１９０か
ら観察者に達する。観察者は逐次的に発せられる光を映像として捉える。
【０１１１】
また、図６には、外光１３９が表示パネル１２０上の液晶素子を透過してその下部電極で
反射される様子も、模式的に示してある。液晶素子を透過する光の強度は、画像信号によ
り変調されるため、観察者は外光１３９の反射光によっても、映像を捉えることができる
。
【０１１２】
図７（Ａ）は表示領域の平面図、図７（Ｂ）は等価回路であり、１画素分の画素を示して
いる。図８は図７（Ａ）の線Ｖ１−Ｖ２、線Ｗ１−Ｗ２、及び線Ｘ１−Ｘ２における断面
図である。
【０１１３】
図７において、複数のソース配線層（ソース電極層又はドレイン電極層５５５ｂ、５６５
ｂを含む）が互いに平行（図中上下方向に延伸）かつ互いに離間した状態で配置されてい
る。複数のゲート配線層（ゲート電極層５５１を含む）は、ソース配線層に略直交する方
向（図中左右方向）に延伸し、かつ互いに離間するように配置されている。容量配線層は
、複数のゲート配線層それぞれに隣接する位置に配置されており、ゲート配線層に概略平
行な方向、つまり、ソース配線層に概略直交する方向（図中左右方向）に延伸している。
【０１１４】
図７及び図８の液晶表示装置は、半透過型液晶表示装置であり、画素領域は反射領域４９
８及び透過領域４９９で構成されている。反射領域４９８では画素電極層として反射電極
層５７７が形成され、透過領域４９９では画素電極層として透明電極層５７６が形成され
ている。図７及び図８のように、透明電極層５７６と反射電極層５７７とは絶縁膜５７１
を介して端部が重なるように積層されていると、画素領域において効率的に表示領域を設
けることができる。なお、図８では、層間膜４１３上に、透明電極層５７６、絶縁膜５７
１、反射電極層５７７の順に積層する例を示したが、層間膜４１３上に、反射電極層５７
７、絶縁膜５７１、透明電極層５７６の順に積層する構造であってもよい。
【０１１５】
図７（Ｂ）は等価回路に示すように、一画素内に反射電極層５７７及びソース電極層又は
ドレイン電極層５６５ｂと電気的に接続するトランジスタ５６０と、透明電極層５７６及
びソース電極層又はドレイン電極層５５５ｂと電気的に接続するトランジスタ５５０とを
有している。トランジスタ５６０は反射領域のオンオフを制御する反射領域用トランジス
タであり、トランジスタ５５０は透過領域のオンオフを制御する透過領域用トランジスタ
である。
【０１１６】
トランジスタ５５０、５６０上には絶縁膜４０７、４０９、及び層間膜４１３が設けられ
、絶縁膜４０７、４０９、及び層間膜４１３に形成された各開口（コンタクトホール）に
おいて、トランジスタ５５０は透明電極層５７６と、トランジスタ５６０は反射電極層５
７７とそれぞれ電気的に接続されている。
【０１１７】
図８に示すように、第２の基板４４２には共通電極層（対向電極層ともいう）４４８が形
成され、第１の基板４４１上の透明電極層５７６及び反射電極層５７７と、液晶層４４４
を介して対向している。なお、図７及び図８の液晶表示装置では、透明電極層５７６及び
反射電極層５７７と液晶層４４４との間に配向膜４６０ａが設けられ、共通電極層４４８
と液晶層４４４との間には配向膜４６０ｂが設けられている。配向膜４６０ａ、４６０ｂ
は、液晶の配向を制御する機能を有する絶縁層であり、液晶材料によっては設けなくても
よい。
【０１１８】
トランジスタ５５０、５６０は、ボトムゲート構造の逆スタガ型トランジスタの例であり
、トランジスタ５５０は、ゲート電極層５５１、ゲート絶縁層４０２、半導体層５５３、
ソース電極層又はドレイン電極層５５５ａ、及びソース電極層又はドレイン電極層５５５
ｂを含み、トランジスタ５６０は、ゲート電極層５５１、ゲート絶縁層４０２、半導体層
５６３、ソース電極層又はドレイン電極層５６５ａ、及びソース電極層又はドレイン電極
層５６５ｂを含む。また、トランジスタ５５０、５６０はそれぞれ容量を有しており、図
８に示すように、反射領域４９８においてはゲート電極層５５１と同工程で形成された容
量配線層５５８、ゲート絶縁層４０２、及びソース電極層又はドレイン電極層５５５ａ、
５５５ｂ、５６５ａ、５６５ｂと同工程で形成された導電層５７９が積層し、容量を形成
している。なお、容量配線層５５８を覆うように、アルミニウム（Ａｌ）や銀（Ａｇ）な
どの反射導電膜で形成される反射電極層５７７と同工程で形成される配線層５８０を形成
することが好ましい。
【０１１９】
本実施の形態における半透過型液晶表示装置は、トランジスタ５５０のオンオフ制御によ
って透過領域４９９において動画のカラー表示を行い、トランジスタ５６０のオンオフ制
御によって反射領域４９８において静止画のモノクロ（白黒）表示をそれぞれ行う。トラ
ンジスタ５５０とトランジスタ５６０とを別々に動作させることによって、反射領域４９
８の表示と、透過領域４９９の表示とをそれぞれ独立して制御することができる。
【０１２０】
透過領域４９９においては、第１の基板４４１側に設けられたバックライトからの入射光
によって表示を行う。バックライトにＲＧＢの発光ダイオード（ＬＥＤ）を用いることで
カラー表示を行うことができる。さらに、本実施の形態では、発光ダイオード（ＬＥＤ）
を用いて、時分割によりカラー表示する継時加法混色法（フィールドシーケンシャル法）
を採用する。
【０１２１】
一方、反射領域４９８においては、第２の基板４４２側から入射した外光を反射電極層５
７７によって反射することで表示を行う。
【０１２２】
液晶表示装置において、反射電極層５７７に凹凸を形成する例を図９及び図１０に示す。
図９は、反射領域４９８において、層間膜４１３表面を凹凸形状とすることで反射電極層
５７７に凹凸形状を形成する例である。層間膜４１３表面の凹凸形状は、選択的にエッチ
ング加工を行うことで形成すればよい。例えば感光性の有機樹脂にフォトリソグラフィ工
程を行って凹凸形状を有する層間膜４１３を形成することができる。また、図１０は、反
射領域４９８において、層間膜４１３上に凸形状の構造体を設けて、反射電極層５７７に
凹凸形状を形成する例である。なお、図１０は、絶縁層４８０及び絶縁層４８２の積層に
よって凸形状の構造体を形成している。例えば絶縁層４８０として酸化シリコン、窒化シ
リコン等の無機絶縁層、絶縁層４８２としてポリイミド樹脂、アクリル樹脂などの有機樹
脂を用いることができる。まず、スパッタリング法により酸化シリコン膜を層間膜４１３
上に形成し、酸化シリコン膜上に塗布法によりポリイミド樹脂膜を形成する。酸化シリコ
ン膜をエッチングストッパーとして用い、ポリイミド樹脂膜をエッチング加工する。加工
されたポリイミド樹脂層をマスクとして酸化シリコン膜をエッチング加工することで、図
１０に示すような絶縁層４８０及び絶縁層４８２の積層からなる凸状の構造体を形成する
ことができる。
【０１２３】
図９及び図１０に示すように、反射電極層５７７表面に凹凸を有すると、入射した外光を
乱反射させ、より良好な表示を行うことができる。よって、表示における視認性が向上す
る。
【０１２４】
本実施の形態は、実施の形態１乃至３とそれぞれ自由に組み合わせができる。
【０１２５】
（実施の形態５）
本実施の形態では、本明細書に開示する液晶表示装置に適用できるトランジスタの例を示
す。本明細書に開示する液晶表示装置に適用できるトランジスタの構造は特に限定されず
、例えばトップゲート構造、又はボトムゲート構造のスタガ型及びプレーナ型などを用い
ることができる。また、トランジスタはチャネル形成領域が一つ形成されるシングルゲー
ト構造でも、二つ形成されるダブルゲート構造もしくは三つ形成されるトリプルゲート構
造であっても良い。また、チャネル領域の上下にゲート絶縁層を介して配置された２つの
ゲート電極層を有する、デュアルゲート型でもよい。なお、図１１（Ａ）乃至図１１（Ｄ
）にトランジスタの断面構造の一例を以下に示す。図１１（Ａ）乃至図１１（Ｄ）に示す
トランジスタは、半導体として酸化物半導体を用いるものである。酸化物半導体を用いる
ことのメリットは、比較的簡単かつ低温のプロセスで高い移動度と低いオフ電流が得られ
ることであるが、もちろん、他の半導体を用いてもよい。
【０１２６】
図１１（Ａ）に示すトランジスタ４１０は、ボトムゲート構造の薄膜トランジスタの一つ
であり、逆スタガ型薄膜トランジスタともいう。
【０１２７】
トランジスタ４１０は、絶縁表面を有する基板４００上に、ゲート電極層４０１、ゲート
絶縁層４０２、酸化物半導体層４０３、ソース電極層４０５ａ、及びドレイン電極層４０
５ｂを含む。また、トランジスタ４１０を覆い、酸化物半導体層４０３に積層する絶縁膜
４０７が設けられている。絶縁膜４０７上にはさらに絶縁膜４０９が形成されている。
【０１２８】
図１１（Ｂ）に示すトランジスタ４２０は、チャネル保護型（チャネルストップ型ともい
う）と呼ばれるボトムゲート構造の一つであり逆スタガ型薄膜トランジスタともいう。
【０１２９】
トランジスタ４２０は、絶縁表面を有する基板４００上に、ゲート電極層４０１、ゲート
絶縁層４０２、酸化物半導体層４０３、酸化物半導体層４０３のチャネル形成領域を覆う
チャネル保護層として機能する絶縁層４２７、ソース電極層４０５ａ、及びドレイン電極
層４０５ｂを含む。また、トランジスタ４２０を覆い、絶縁膜４０９が形成されている。
【０１３０】
図１１（Ｃ）示すトランジスタ４３０はボトムゲート型の薄膜トランジスタであり、絶縁
表面を有する基板４００上に、ゲート電極層４０１、ゲート絶縁層４０２、ソース電極層
４０５ａ、ドレイン電極層４０５ｂ、及び酸化物半導体層４０３を含む。また、トランジ
スタ４３０を覆い、酸化物半導体層４０３に接する絶縁膜４０７が設けられている。絶縁
膜４０７上にはさらに絶縁膜４０９が形成されている。
【０１３１】
トランジスタ４３０においては、ゲート絶縁層４０２は基板４００及びゲート電極層４０
１上に接して設けられ、ゲート絶縁層４０２上にソース電極層４０５ａ、ドレイン電極層
４０５ｂが接して設けられている。そして、ゲート絶縁層４０２、及びソース電極層４０
５ａ、ドレイン電極層４０５ｂ上に酸化物半導体層４０３が設けられている。
【０１３２】
図１１（Ｄ）に示すトランジスタ４４０は、トップゲート構造の薄膜トランジスタの一つ
である。トランジスタ４４０は、絶縁表面を有する基板４００上に、絶縁層４３７、酸化
物半導体層４０３、ソース電極層４０５ａ、及びドレイン電極層４０５ｂ、ゲート絶縁層
４０２、ゲート電極層４０１を含み、ソース電極層４０５ａ、ドレイン電極層４０５ｂに
それぞれ配線層４３６ａ、配線層４３６ｂが接して設けられ電気的に接続している。
【０１３３】
本実施の形態では、上述のとおり、半導体層として酸化物半導体層４０３を用いる。酸化
物半導体層４０３に用いる酸化物半導体としては、四元系金属の酸化物であるＩｎ−Ｓｎ
−Ｇａ−Ｚｎ−Ｏ系や、三元系金属の酸化物であるＩｎ−Ｇａ−Ｚｎ−Ｏ系、Ｉｎ−Ｓｎ
−Ｚｎ−Ｏ系、Ｉｎ−Ａｌ−Ｚｎ−Ｏ系、Ｓｎ−Ｇａ−Ｚｎ−Ｏ系、Ａｌ−Ｇａ−Ｚｎ−
Ｏ系、Ｓｎ−Ａｌ−Ｚｎ−Ｏ系や、二元系金属の酸化物であるＩｎ−Ｚｎ−Ｏ系、Ｓｎ−
Ｚｎ−Ｏ系、Ａｌ−Ｚｎ−Ｏ系、Ｚｎ−Ｍｇ−Ｏ系、Ｓｎ−Ｍｇ−Ｏ系、Ｉｎ−Ｍｇ−Ｏ
系や、Ｉｎ−Ｏ系、Ｓｎ−Ｏ系、Ｚｎ−Ｏ系などを用いることができる。また、上記酸化
物半導体にＳｉＯ２を含んでもよい。ここで、例えば、Ｉｎ−Ｇａ−Ｚｎ−Ｏ系酸化物半
導体とは、少なくともＩｎとＧａとＺｎを含む酸化物であり、その組成比に特に制限はな
い。また、ＩｎとＧａとＺｎ以外の元素を含んでもよい。
【０１３４】
また、酸化物半導体層４０３は、化学式ＩｎＭＯ３（ＺｎＯ）ｍ（ｍ＞０）で表記される
薄膜を用いることができる。ここで、Ｍは、Ｇａ、Ａｌ、ＭｎおよびＣｏから選ばれた一
または複数の金属元素を示す。例えばＭとして、Ｇａ、Ｇａ及びＡｌ、Ｇａ及びＭｎ、ま
たはＧａ及びＣｏなどがある。
【０１３５】
酸化物半導体層４０３を用いたトランジスタ４１０、４２０、４３０、４４０は、オフ状
態における電流値（オフ電流値）を低くすることができる。よって、画像イメージデータ
等の電気信号の保持時間を長くすることができ、書き込み間隔も長く設定できる。よって
、リフレッシュ動作の頻度を少なくすることができるため、消費電力を抑制する効果を奏
する。
【０１３６】
また、酸化物半導体層４０３を用いたトランジスタ４１０、４２０、４３０、４４０は、
比較的高い電界効果移動度が得られるため、高速駆動が可能である。よって、液晶表示装
置の画素部に該トランジスタを用いることで、色分離を抑制することができ、高画質な画
像を提供することができる。また、該トランジスタは、同一基板上に駆動回路部または画
素部に作り分けて作製することができるため、液晶表示装置の部品点数を削減することが
できる。
【０１３７】
絶縁表面を有する基板４００に使用することができる基板に大きな制限はないが、バリウ
ムホウケイ酸ガラスやアルミノホウケイ酸ガラスなどのガラス基板を用いる。
【０１３８】
ボトムゲート構造のトランジスタ４１０、４２０、４３０において、下地膜となる絶縁膜
を基板とゲート電極層の間に設けてもよい。下地膜は、基板からの不純物元素の拡散を防
止する機能があり、窒化シリコン膜、酸化シリコン膜、窒化酸化シリコン膜、又は酸化窒
化シリコン膜から選ばれた一又は複数の膜による積層構造により形成することができる。
【０１３９】
ゲート電極層４０１の材料は、モリブデン、チタン、クロム、タンタル、タングステン、
アルミニウム、銅、ネオジム、スカンジウム等の金属材料またはこれらを主成分とする合
金材料を用いて、単層でまたは積層して形成することができる。
【０１４０】
ゲート絶縁層４０２は、プラズマＣＶＤ法又はスパッタリング法等を用いて、酸化シリコ
ン層、窒化シリコン層、酸化窒化シリコン層、窒化酸化シリコン層、酸化アルミニウム層
、窒化アルミニウム層、酸化窒化アルミニウム層、窒化酸化アルミニウム層、又は酸化ハ
フニウム層を単層で又は積層して形成することができる。例えば、第１のゲート絶縁層と
してプラズマＣＶＤ法により膜厚５０ｎｍ以上２００ｎｍ以下の窒化シリコン層（ＳｉＮ
ｙ（ｙ＞０））を形成し、第１のゲート絶縁層上に第２のゲート絶縁層として膜厚５ｎｍ
以上３００ｎｍ以下の酸化シリコン層（ＳｉＯｘ（ｘ＞０））を積層して、合計膜厚２０
０ｎｍのゲート絶縁層とする。
【０１４１】
ソース電極層４０５ａ、ドレイン電極層４０５ｂに用いる導電膜としては、例えば、Ａｌ
、Ｃｒ、Ｃｕ、Ｔａ、Ｔｉ、Ｍｏ、Ｗから選ばれた元素、または上述した元素を成分とす
る合金膜か、上述した元素を組み合わせた合金膜等を用いることができる。また、Ａｌ、
Ｃｕなどの金属層の下側又は上側の一方または双方にＴｉ、Ｍｏ、Ｗなどの高融点金属層
を積層させた構成としても良い。また、Ａｌ膜に生ずるヒロックやウィスカーの発生を防
止する元素（Ｓｉ、Ｎｄ、Ｓｃなど）が添加されているＡｌ材料を用いることで耐熱性を
向上させることが可能となる。
【０１４２】
ソース電極層４０５ａ、ドレイン電極層４０５ｂに接続する配線層４３６ａ、配線層４３
６ｂのような導電膜も、ソース電極層４０５ａ、ドレイン電極層４０５ｂと同様な材料を
用いることができる。
【０１４３】
また、ソース電極層４０５ａ、ドレイン電極層４０５ｂ（これと同じ層で形成される配線
層を含む）となる導電膜としては導電性の金属酸化物で形成しても良い。導電性の金属酸
化物としては酸化インジウム（Ｉｎ２Ｏ３）、酸化スズ（ＳｎＯ２）、酸化亜鉛（ＺｎＯ
）、酸化インジウム酸化スズ合金（Ｉｎ２Ｏ３―ＳｎＯ２、ＩＴＯと略記する）、酸化イ
ンジウム酸化亜鉛合金（Ｉｎ２Ｏ３―ＺｎＯ）またはこれらの金属酸化物材料に酸化シリ
コンを含ませたものを用いることができる。
【０１４４】
絶縁膜４０７、絶縁層４２７、４３７は、代表的には酸化シリコン膜、酸化窒化シリコン
膜、酸化アルミニウム膜、または酸化窒化アルミニウム膜などの無機絶縁膜を用いること
ができる。
【０１４５】
絶縁膜４０９は、窒化シリコン膜、窒化アルミニウム膜、窒化酸化シリコン膜、窒化酸化
アルミニウム膜などの無機絶縁膜を用いることができる。
【０１４６】
また、絶縁膜４０９上にトランジスタ起因の表面凹凸を低減するために平坦化絶縁膜を形
成してもよい。平坦化絶縁膜としては、ポリイミド、アクリル、ベンゾシクロブテン、等
の有機材料を用いることができる。また上記有機材料の他に、低誘電率材料（ｌｏｗ−ｋ
材料）等を用いることができる。なお、これらの材料で形成される絶縁膜を複数積層させ
ることで、平坦化絶縁膜を形成してもよい。
【０１４７】
このように、本実施の形態において、酸化物半導体層を含むトランジスタを用いることに
より、高機能な液晶表示装置を提供することができる。
【０１４８】
（実施の形態６）
本実施の形態は、酸化物半導体層を含むトランジスタ、及び作製方法の一例を図１２を用
いて詳細に説明する。上記実施の形態と同一部分又は同様な機能を有する部分、及び工程
は、上記実施の形態と同様に行うことができ、繰り返しの説明は省略する。また同じ箇所
の詳細な説明は省略する。
【０１４９】
図１２（Ａ）乃至図１２（Ｅ）にトランジスタの断面構造の一例を示す。図１２（Ａ）乃
至図１２（Ｅ）に示すトランジスタ５１０は、図１１（Ａ）に示すトランジスタ４１０と
同様なボトムゲート構造の逆スタガ型薄膜トランジスタである。
【０１５０】
本実施の形態の半導体層に用いる酸化物半導体は、ｎ型不純物である水素を酸化物半導体
から除去し、酸化物半導体の主成分以外の不純物が極力含まれないように高純度化するこ
とによりｉ型（真性）の酸化物半導体、又はｉ型（真性）に限りなく近い酸化物半導体と
したものである。すなわち、不純物を添加してｉ型化するのでなく、水素や水等の不純物
を極力除去したことにより、高純度化されたｉ型（真性半導体）又はそれに近づけること
を特徴としている。従って、トランジスタ５１０が有する酸化物半導体層は、高純度化及
び電気的にｉ型（真性）化された酸化物半導体層である。
【０１５１】
また、高純度化された酸化物半導体中にはキャリアが極めて少なく（ゼロに近い）、キャ
リア濃度は１×１０１４／ｃｍ３未満、好ましくは１×１０１２／ｃｍ３未満、さらに好
ましくは１×１０１１／ｃｍ３未満である。
【０１５２】
酸化物半導体中にキャリアが極めて少ないため、トランジスタ５１０のオフ電流を低くす
ることができる。オフ電流は少なければ少ないほど好ましい。
【０１５３】
具体的には、上述の酸化物半導体層を具備する薄膜トランジスタは、チャネル幅１μｍあ
たりのオフ電流密度を室温下において、１０ａＡ／μｍ（１×１０−１７Ａ／μｍ）以下
にすること、さらには１ａＡ／μｍ（１×１０−１８Ａ／μｍ）以下、さらには１０ｚＡ
／μｍ（１×１０−２０Ａ／μｍ）以下にすることが可能である。
【０１５４】
オフ状態における電流値（オフ電流値）が極めて小さいトランジスタを実施の形態１の画
素部におけるトランジスタとして用いることにより、静止画領域におけるリフレッシュ動
作の書き込み回数を少なくすることができる。
【０１５５】
また、上述の酸化物半導体層を具備するトランジスタ５１０はオン電流の温度依存性がほ
とんど見られず、オフ電流も非常に小さいままである。
【０１５６】
以下、図１２（Ａ）乃至図１２（Ｅ）を用い、基板５０５上にトランジスタ５１０を作製
する工程を説明する。
【０１５７】
まず、絶縁表面を有する基板５０５上に導電膜を形成した後、第１のフォトリソグラフィ
工程によりゲート電極層５１１を形成する。なお、レジストマスクをインクジェット法で
形成してもよい。レジストマスクをインクジェット法で形成するとフォトマスクを使用し
ないため、製造コストを低減できる。
【０１５８】
絶縁表面を有する基板５０５は、実施の形態５に示した基板４００と同様な基板を用いる
ことができる。本実施の形態では基板５０５としてガラス基板を用いる。
【０１５９】
下地膜となる絶縁膜を基板５０５とゲート電極層５１１との間に設けてもよい。下地膜は
、基板５０５からの不純物元素の拡散を防止する機能があり、窒化シリコン膜、酸化シリ
コン膜、窒化酸化シリコン膜、又は酸化窒化シリコン膜から選ばれた一又は複数の膜によ
る積層構造により形成することができる。
【０１６０】
また、ゲート電極層５１１の材料は、モリブデン、チタン、タンタル、タングステン、ア
ルミニウム、銅、ネオジム、スカンジウム等の金属材料又はこれらを主成分とする合金材
料を用いて、単層で又は積層して形成することができる。
【０１６１】
次いで、ゲート電極層５１１上にゲート絶縁層５０７を形成する。ゲート絶縁層５０７は
、プラズマＣＶＤ法又はスパッタリング法等を用いて、酸化シリコン層、窒化シリコン層
、酸化窒化シリコン層、窒化酸化シリコン層、酸化アルミニウム層、窒化アルミニウム層
、酸化窒化アルミニウム層、窒化酸化アルミニウム層、又は酸化ハフニウム層を単層で又
は積層して形成することができる。
【０１６２】
本実施の形態の酸化物半導体は、不純物を除去され、ｉ型化又は実質的にｉ型化された酸
化物半導体を用いる。このような高純度化された酸化物半導体は界面準位、界面電荷に対
して極めて敏感であるため、酸化物半導体層とゲート絶縁層との界面は重要である。その
ため高純度化された酸化物半導体に接するゲート絶縁層は、高品質化が要求される。
【０１６３】
例えば、μ波（例えば周波数２．４５ＧＨｚ）を用いた高密度プラズマＣＶＤは、緻密で
絶縁耐圧の高い高品質な絶縁層を形成できるので好ましい。高純度化された酸化物半導体
と高品質ゲート絶縁層とが密接することにより、界面準位を低減して界面特性を良好なも
のとすることができるからである。
【０１６４】
もちろん、ゲート絶縁層として良質な絶縁層を形成できるものであれば、スパッタリング
法やプラズマＣＶＤ法など他の成膜方法を適用することができる。また、成膜後の熱処理
によってゲート絶縁層の膜質、酸化物半導体との界面特性が改質される絶縁層であっても
良い。いずれにしても、ゲート絶縁層としての膜質が良好であることは勿論のこと、酸化
物半導体との界面準位密度を低減し、良好な界面を形成できるものであれば良い。
【０１６５】
また、ゲート絶縁層５０７、酸化物半導体膜５３０に水素、水酸基及び水分がなるべく含
まれないようにするために、酸化物半導体膜５３０の成膜の前処理として、スパッタリン
グ装置の予備加熱室でゲート電極層５１１が形成された基板５０５、又はゲート絶縁層５
０７までが形成された基板５０５を予備加熱し、基板５０５に吸着した水素、水分などの
不純物を脱離し排気することが好ましい。なお、予備加熱室に設ける排気手段はクライオ
ポンプが好ましい。なお、この予備加熱の処理は省略することもできる。またこの予備加
熱は、絶縁層５１６の成膜前に、ソース電極層５１５ａ及びドレイン電極層５１５ｂまで
形成した基板５０５にも同様に行ってもよい。
【０１６６】
次いで、ゲート絶縁層５０７上に、膜厚２ｎｍ以上２００ｎｍ以下、好ましくは５ｎｍ以
上３０ｎｍ以下の酸化物半導体膜５３０を形成する（図１２（Ａ）参照）。
【０１６７】
なお、酸化物半導体膜５３０をスパッタリング法により成膜する前に、アルゴンガスを導
入してプラズマを発生させる逆スパッタを行い、ゲート絶縁層５０７の表面に付着してい
る粉状物質（パーティクル、ごみともいう）を除去することが好ましい。逆スパッタとは
、ターゲット側に電圧を印加せずに、アルゴン雰囲気下で基板側にＲＦ電源を用いて電圧
を印加して基板近傍にプラズマを形成して表面を改質する方法である。なお、アルゴン雰
囲気に代えて窒素、ヘリウム、酸素などを用いてもよい。
【０１６８】
酸化物半導体膜５３０に用いる酸化物半導体は、実施の形態５に示した四元系金属の酸化
物や、三元系金属の酸化物や、二元系金属の酸化物や、Ｉｎ−Ｏ系、Ｓｎ−Ｏ系、Ｚｎ−
Ｏ系などの酸化物半導体を用いることができる。また、上記酸化物半導体にＳｉＯ２を含
んでもよい。本実施の形態では、酸化物半導体膜５３０としてＩｎ−Ｇａ−Ｚｎ−Ｏ系酸
化物ターゲットを用いてスパッタリング法により成膜する。この段階での断面図が図１２
（Ａ）に相当する。また、酸化物半導体膜５３０は、希ガス（代表的にはアルゴン）雰囲
気下、酸素雰囲気下、又は希ガスと酸素の混合雰囲気下においてスパッタリング法により
形成することができる。
【０１６９】
酸化物半導体膜５３０をスパッタリング法で作製するためのターゲットとしては、例えば
、組成比として、Ｉｎ２Ｏ３：Ｇａ２Ｏ３：ＺｎＯ＝１：１：１［ｍｏｌ数比］を用いる
ことができる。また、他にも、Ｉｎ２Ｏ３：Ｇａ２Ｏ３：ＺｎＯ＝１：１：２［ｍｏｌ数
比］、又はＩｎ２Ｏ３：Ｇａ２Ｏ３：ＺｎＯ＝１：１：４［ｍｏｌ数比］の組成比を有す
るターゲットを用いてもよい。酸化物半導体成膜用ターゲットの充填率は９０％以上１０
０％以下、好ましくは９５％以上９９．９％である。充填率の高い酸化物半導体成膜用タ
ーゲットを用いることにより、成膜した酸化物半導体膜は緻密な膜となる。
【０１７０】
酸化物半導体膜５３０を、成膜する際に用いるスパッタガスは水素、水、水酸基又は水素
化物などの不純物が除去された高純度ガスを用いることが好ましい。
【０１７１】
減圧状態に保持された成膜室内に基板を保持し、基板温度を１００℃以上６００℃以下好
ましくは２００℃以上４００℃以下とする。基板を加熱しながら成膜することにより、成
膜した酸化物半導体膜に含まれる不純物濃度を低減することができる。また、スパッタリ
ングによる損傷が軽減される。そして、成膜室内の残留水分を除去しつつ水素及び水分が
除去されたスパッタガスを導入し、上記ターゲットを用いて基板５０５上に酸化物半導体
膜５３０を成膜する。成膜室内の残留水分を除去するためには、吸着型の真空ポンプ、例
えば、クライオポンプ、イオンポンプ、チタンサブリメーションポンプを用いることが好
ましい。また、排気手段としては、ターボポンプにコールドトラップを加えたものであっ
てもよい。クライオポンプを用いて排気した成膜室は、例えば、水素原子、水（Ｈ２Ｏ）
など水素原子を含む化合物（より好ましくは炭素原子を含む化合物も）等が排気されるた
め、当該成膜室で成膜した酸化物半導体膜に含まれる不純物の濃度を低減できる。
【０１７２】
成膜条件の一例としては、基板とターゲットとの間の距離を１００ｍｍ、圧力０．６Ｐａ
、直流（ＤＣ）電源０．５ｋＷ、酸素（酸素流量比率１００％）雰囲気下の条件が適用さ
れる。なお、パルス直流電源を用いると、成膜時に発生する粉状物質（パーティクル、ご
みともいう）が軽減でき、膜厚分布も均一となるために好ましい。
【０１７３】
次いで、酸化物半導体膜５３０を第２のフォトリソグラフィ工程により島状の酸化物半導
体層に加工する。また、島状の酸化物半導体層を形成するためのレジストマスクをインク
ジェット法で形成してもよい。レジストマスクをインクジェット法で形成するとフォトマ
スクを使用しないため、製造コストを低減できる。
【０１７４】
また、ゲート絶縁層５０７にコンタクトホールを形成する場合、その工程は酸化物半導体
膜５３０の加工時に同時に行うことができる。
【０１７５】
なお、ここでの酸化物半導体膜５３０のエッチングは、ドライエッチングでもウェットエ
ッチングでもよく、両方を用いてもよい。例えば、酸化物半導体膜５３０のウェットエッ
チングに用いるエッチング液としては、燐酸と酢酸と硝酸を混ぜた溶液などを用いること
ができる。また、ＩＴＯ０７Ｎ（関東化学社製）を用いてもよい。
【０１７６】
次いで、酸化物半導体層に第１の加熱処理を行う。この第１の加熱処理によって酸化物半
導体層の脱水化または脱水素化を行うことができる。第１の加熱処理の温度は、４００℃
以上７５０℃以下、または４００℃以上基板の歪み点未満とする。ここでは、加熱処理装
置の一つである電気炉に基板を導入し、酸化物半導体層に対して窒素雰囲気下４５０℃に
おいて１時間の加熱処理を行った後、大気に触れることなく、酸化物半導体層への水や水
素の再混入を防ぎ、酸化物半導体層５３１を得る（図１２（Ｂ）参照）。
【０１７７】
なお、加熱処理装置は電気炉に限られず、抵抗発熱体などの発熱体からの熱伝導または熱
輻射によって、被処理物を加熱する装置を備えていてもよい。例えば、ＧＲＴＡ（Ｇａｓ
Ｒａｐｉｄ  Ｔｈｅｒｍａｌ  Ａｎｎｅａｌ）装置、ＬＲＴＡ（Ｌａｍｐ  Ｒａｐｉｄ
Ｔｈｅｒｍａｌ  Ａｎｎｅａｌ）装置等のＲＴＡ（Ｒａｐｉｄ  Ｔｈｅｒｍａｌ  Ａｎ
ｎｅａｌ）装置を用いることができる。ＬＲＴＡ装置は、ハロゲンランプ、メタルハライ
ドランプ、キセノンアークランプ、カーボンアークランプ、高圧ナトリウムランプ、高圧
水銀ランプなどのランプから発する光（電磁波）の輻射により、被処理物を加熱する装置
である。ＧＲＴＡ装置は、高温のガスを用いて加熱処理を行う装置である。高温のガスに
は、アルゴンなどの希ガス、または窒素のような、加熱処理によって被処理物と反応しな
い不活性気体が用いられる。
【０１７８】
例えば、第１の加熱処理として、６５０℃以上７００℃以下の高温に加熱した不活性ガス
中に基板を移動させて入れ、数分間加熱した後、基板を移動させて高温に加熱した不活性
ガス中から出すＧＲＴＡを行ってもよい。
【０１７９】
なお、第１の加熱処理においては、窒素、またはヘリウム、ネオン、アルゴン等の希ガス
に、水、水素などが含まれないことが好ましい。または、加熱処理装置に導入する窒素、
またはヘリウム、ネオン、アルゴン等の希ガスの純度を、６Ｎ（９９．９９９９％）以上
、好ましくは７Ｎ（９９．９９９９９％）以上、（即ち不純物濃度を１ｐｐｍ以下、好ま
しくは０．１ｐｐｍ以下）とすることが好ましい。
【０１８０】
また、第１の加熱処理で酸化物半導体層を加熱した後、同じ炉に高純度の酸素ガス、高純
度のＮ２Ｏガス、又は超乾燥エア（露点が−４０℃以下、好ましくは−６０℃以下）を導
入してもよい。酸素ガスまたはＮ２Ｏガスに、水、水素などが含まれないことが好ましい
。または、加熱処理装置に導入する酸素ガスまたはＮ２Ｏガスの純度を、６Ｎ以上、好ま
しくは７Ｎ以上、（即ち、酸素ガスまたはＮ２Ｏガス中の不純物濃度を１ｐｐｍ以下、好
ましくは０．１ｐｐｍ以下）とすることが好ましい。酸素ガス又はＮ２Ｏガスの作用によ
り、脱水化または脱水素化処理による不純物の排除工程によって同時に減少してしまった
酸素を供給することによって、酸化物半導体層を高純度化及び電気的にｉ型（真性）化す
る。
【０１８１】
また、酸化物半導体層の第１の加熱処理は、島状の酸化物半導体層に加工する前の酸化物
半導体膜５３０に行うこともできる。その場合には、第１の加熱処理後に、加熱装置から
基板を取り出し、フォトリソグラフィ工程を行う。
【０１８２】
なお、第１の加熱処理は、上記以外にも、酸化物半導体層成膜後であれば、酸化物半導体
層上にソース電極層及びドレイン電極層を積層させた後、あるいは、ソース電極層及びド
レイン電極層上に絶縁層を形成した後、のいずれで行っても良い。
【０１８３】
また、ゲート絶縁層５０７にコンタクトホールを形成する場合、その工程は酸化物半導体
膜５３０に第１の加熱処理を行う前でも行った後でもよい。
【０１８４】
また、酸化物半導体層を２回に分けて成膜し、２回に分けて加熱処理を行うことで、下地
部材の材料が、酸化物、窒化物、金属など材料を問わず、膜厚の厚い結晶領域（単結晶領
域）、即ち、膜表面に垂直にｃ軸配向した結晶領域を有する酸化物半導体層を形成しても
よい。例えば、３ｎｍ以上１５ｎｍ以下の第１の酸化物半導体膜を成膜し、窒素、酸素、
希ガス、または乾燥空気の雰囲気下で４５０℃以上８５０℃以下、好ましくは５５０℃以
上７５０℃以下の第１の加熱処理を行い、表面を含む領域に結晶領域（板状結晶を含む）
を有する第１の酸化物半導体膜を形成する。そして、第１の酸化物半導体膜よりも厚い第
２の酸化物半導体膜を形成し、４５０℃以上８５０℃以下、好ましくは６００℃以上７０
０℃以下の第２の加熱処理を行い、第１の酸化物半導体膜を結晶成長の種として、上方に
結晶成長させ、第２の酸化物半導体膜の全体を結晶化させ、結果として膜厚の厚い結晶領
域を有する酸化物半導体層を形成してもよい。
【０１８５】
次いで、ゲート絶縁層５０７、及び酸化物半導体層５３１上に、ソース電極層及びドレイ
ン電極層（これと同じ層で形成される配線を含む）となる導電膜を形成する。ソース電極
層、及びドレイン電極層に用いる導電膜としては、実施の形態５に示したソース電極層４
０５ａ、ドレイン電極層４０５ｂに用いる材料を適用することができる。
【０１８６】
第３のフォトリソグラフィ工程により導電膜上にレジストマスクを形成し、選択的にエッ
チングを行ってソース電極層５１５ａ、ドレイン電極層５１５ｂを形成した後、レジスト
マスクを除去する（図１２（Ｃ）参照）。
【０１８７】
第３のフォトリソグラフィ工程でのレジストマスク形成時の露光には、紫外線やＫｒＦレ
ーザ光やＡｒＦレーザ光を用いるとよい。酸化物半導体層５３１上で隣り合うソース電極
層の下端部とドレイン電極層の下端部との間隔幅によって後に形成されるトランジスタの
チャネル長Ｌが決定される。なお、チャネル長Ｌが２５ｎｍ未満の露光を行う場合には、
数ｎｍ以上数１０ｎｍ以下と極めて波長が短い超紫外線（Ｅｘｔｒｅｍｅ  Ｕｌｔｒａｖ
ｉｏｌｅｔ）を用いて第３のフォトリソグラフィ工程でのレジストマスク形成時の露光を
行うとよい。超紫外線による露光は、解像度が高く焦点深度も大きい。従って、後に形成
されるトランジスタのチャネル長Ｌを１０ｎｍ以上１０００ｎｍ以下とすることも可能で
あり、回路の動作速度を高速化でき、さらにオフ電流値が極めて小さいため、低消費電力
化も図ることができる。
【０１８８】
また、フォトリソグラフィ工程で用いるフォトマスク数及び工程数を削減するため、透過
した光が複数の強度となる露光マスクである多階調マスクによって形成されたレジストマ
スクを用いてエッチング工程を行ってもよい。多階調マスクを用いて形成したレジストマ
スクは複数の膜厚を有する形状となり、エッチングを行うことでさらに形状を変形するこ
とができるため、異なるパターンに加工する複数のエッチング工程に用いることができる
。よって、一枚の多階調マスクによって、少なくとも二種類以上の異なるパターンに対応
するレジストマスクを形成することができる。よって露光マスク数を削減することができ
、対応するフォトリソグラフィ工程も削減できるため、工程の簡略化が可能となる。
【０１８９】
なお、導電膜のエッチングの際に、酸化物半導体層５３１がエッチングされ、分断するこ
とがないようにエッチング条件を最適化することが望まれる。しかしながら、導電膜のみ
をエッチングし、酸化物半導体層５３１を全くエッチングしないという条件を得ることは
難しく、導電膜のエッチングの際に酸化物半導体層５３１は一部のみがエッチングされ、
溝部（凹部）を有する酸化物半導体層となることもある。
【０１９０】
本実施の形態では、導電膜としてＴｉ膜を用い、酸化物半導体層５３１にはＩｎ−Ｇａ−
Ｚｎ−Ｏ系酸化物半導体を用いたので、導電膜のエッチャントとしてアンモニア過水（ア
ンモニア水、水、過酸化水素水の混合液）を用いる。
【０１９１】
次いで、Ｎ２Ｏ、Ｎ２、またはＡｒなどのガスを用いたプラズマ処理を行い、露出してい
る酸化物半導体層の表面に付着した吸着水などを除去してもよい。プラズマ処理を行った
場合、大気に触れることなく、酸化物半導体層の一部に接する保護絶縁膜となる絶縁層５
１６を形成する。
【０１９２】
絶縁層５１６は、少なくとも１ｎｍ以上の膜厚とし、スパッタリング法など、絶縁層５１
６に水、水素等の不純物を混入させない方法を適宜用いて形成することができる。絶縁層
５１６に水素が含まれると、その水素の酸化物半導体層への侵入、又は水素が酸化物半導
体層中の酸素を引き抜き、が生じ酸化物半導体層のバックチャネルが低抵抗化（ｎ型化）
してしまい、寄生チャネルが形成されるおそれがある。よって、絶縁層５１６はできるだ
け水素を含まない膜になるように、成膜方法に水素を用いないことが重要である。
【０１９３】
本実施の形態では、絶縁層５１６として膜厚２００ｎｍの酸化シリコン膜をスパッタリン
グ法を用いて成膜する。成膜時の基板温度は、室温以上３００℃以下とすればよく、本実
施の形態では１００℃とする。酸化シリコン膜のスパッタリング法による成膜は、希ガス
（代表的にはアルゴン）雰囲気下、酸素雰囲気下、または希ガスと酸素の混合雰囲気下に
おいて行うことができる。また、ターゲットとして酸化シリコンターゲットまたはシリコ
ンターゲットを用いることができる。例えば、シリコンターゲットを用いて、酸素を含む
雰囲気下でスパッタリング法により酸化シリコンを形成することができる。酸化物半導体
層に接して形成する絶縁層５１６は、水分や、水素イオンや、ＯＨ−などの不純物を含ま
ず、これらが外部から侵入することをブロックする無機絶縁膜を用い、代表的には酸化シ
リコン膜、酸化窒化シリコン膜、酸化アルミニウム膜、または酸化窒化アルミニウム膜な
どを用いることができる。
【０１９４】
酸化物半導体膜５３０の成膜時と同様に、絶縁層５１６の成膜室内の残留水分を除去する
ためには、吸着型の真空ポンプ（クライオポンプなど）を用いることが好ましい。クライ
オポンプを用いて排気した成膜室で成膜した絶縁層５１６に含まれる不純物の濃度を低減
できる。また、絶縁層５１６の成膜室内の残留水分を除去するための排気手段としては、
ターボポンプにコールドトラップを加えたものであってもよい。
【０１９５】
絶縁層５１６を、成膜する際に用いるスパッタガスは水素、水、水酸基又は水素化物など
の不純物が除去された高純度ガスを用いることが好ましい。
【０１９６】
次いで、不活性ガス雰囲気下、または酸素ガス雰囲気下で第２の加熱処理（好ましくは２
００℃以上４００℃以下、例えば２５０℃以上３５０℃以下）を行う。例えば、窒素雰囲
気下で２５０℃、１時間の第２の加熱処理を行う。第２の加熱処理を行うと、酸化物半導
体層の一部（チャネル形成領域）が絶縁層５１６と接した状態で加熱される。
【０１９７】
以上の工程を経ることによって、酸化物半導体膜に対して第１の加熱処理を行って水素、
水分、水酸基又は水素化物（水素化合物ともいう）などの不純物を酸化物半導体層より意
図的に排除し、かつ不純物の排除工程によって同時に減少してしまう酸素を供給すること
ができる。よって、酸化物半導体層は高純度化及び電気的にｉ型（真性）化する。
【０１９８】
以上の工程でトランジスタ５１０が形成される（図１２（Ｄ）参照）。
【０１９９】
また、酸化物絶縁層に欠陥を多く含む酸化シリコン層を用いると、酸化シリコン層形成後
の加熱処理によって酸化物半導体層中に含まれる水素、水分、水酸基又は水素化物などの
不純物を酸化物絶縁層に拡散させ、酸化物半導体層中に含まれる該不純物をより低減させ
る効果を奏する。
【０２００】
絶縁層５１６上にさらに保護絶縁層５０６を形成してもよい。例えば、ＲＦスパッタリン
グ法を用いて窒化シリコン膜を形成する。ＲＦスパッタリング法は、量産性がよいため、
保護絶縁層の成膜方法として好ましい。保護絶縁層５０６は、水分などの不純物を含まず
、これらが外部から侵入することをブロックする無機絶縁膜を用い、窒化シリコン膜、窒
化アルミニウム膜などを用いることができる。本実施の形態では、保護絶縁層５０６を、
窒化シリコン膜を用いて形成する（図１２（Ｅ）参照）。
【０２０１】
本実施の形態では、保護絶縁層５０６として、絶縁層５１６まで形成された基板５０５を
１００℃以上４００℃以下の温度に加熱し、水素及び水分が除去された高純度窒素を含む
スパッタガスを導入し、シリコン半導体のターゲットを用いて窒化シリコン膜を成膜する
。この場合においても、絶縁層５１６と同様に、処理室内の残留水分を除去しつつ保護絶
縁層５０６を成膜することが好ましい。
【０２０２】
保護絶縁層５０６の形成後、さらに大気雰囲気中、１００℃以上２００℃以下、１時間以
上３０時間以下での加熱処理を行ってもよい。この加熱処理は一定の加熱温度を保持して
加熱してもよいし、室温から、１００℃以上２００℃以下の加熱温度への昇温と、加熱温
度から室温までの降温を複数回くりかえして行ってもよい。
【０２０３】
このように、本実施の形態を用いて作製した、高純度化された酸化物半導体層を含むトラ
ンジスタを用いることにより、オフ状態における電流値（オフ電流値）をより低くするこ
とができる。よって、画像イメージデータ等の電気信号の保持時間を長くすることができ
、書き込み間隔も長く設定できる。よって、リフレッシュ動作の頻度をより少なくするこ
とができるため、消費電力を低減することができる。
【０２０４】
また、高純度化された酸化物半導体層を含むトランジスタは、高い電界効果移動度が得ら
れるため、高速駆動が可能である。よって、液晶表示装置の画素部に該トランジスタを用
いることで、高画質な画像を提供することができる。また、該トランジスタは、同一基板
上に駆動回路部または画素部に作り分けて作製することができるため、液晶表示装置の部
品点数を削減することができる。
【０２０５】
本実施の形態は、他の実施の形態と適宜組み合わせて実施することが可能である。
【０２０６】
（実施の形態７）
本実施の形態では、半透過型液晶表示装置の１画素当たりの反射光量と透過光量を向上せ
しめる画素構成について、図１４、図１５、及び図１６を用いて説明する。
【０２０７】
図１４は、本実施の形態で示す画素の平面構成を説明するための図である。図１５は、図
１４における一点破線で示したＳ１−Ｓ２部、Ｔ１−Ｔ２部、及びＵ１−Ｕ２部の断面構
成を示している。本実施の形態で説明する画素は、基板８００上に、画素電極として透明
電極８２３と反射電極８２５が、絶縁層８２４を間に挟んで積層されている。
【０２０８】
透明電極８２３は、絶縁膜８２７、絶縁膜８２８、及び有機樹脂膜８２２に設けられたコ
ンタクトホール８５５を介して、トランジスタ８５１のドレイン電極８５７に接続されて
いる。ドレイン電極８５７は、ゲート絶縁層を介して容量配線８５３と重畳し、保持容量
８７１を構成している（図１５（Ａ）参照）。
【０２０９】
また、トランジスタ８５１のゲート電極８５８は、配線８５２に接続されており、ソース
電極８５６は、配線８５４に接続されている。トランジスタ８５１は、他の実施の形態で
説明したトランジスタを用いることができる（図１４参照）。
【０２１０】
反射電極８２５は、絶縁膜８２７、絶縁膜８２８、及び有機樹脂膜８２２に設けられたコ
ンタクトホール８６５を介して、トランジスタ８６１のドレイン電極８６７に接続されて
いる（図１５（Ｅ）参照）。ドレイン電極８６７は、ゲート絶縁層を介して容量配線８６
３と重畳し、保持容量８７２を構成している。
【０２１１】
トランジスタ８６１のゲート電極８６８は、配線８６２に接続されており、ソース電極８
６６は、配線８６４に接続されている。トランジスタ８６１は、他の実施の形態で説明し
たトランジスタを用いることができる（図１４参照）。
【０２１２】
反射電極８２５により外光を反射することで、画素電極を反射型液晶表示装置の画素電極
として機能させることができる。反射電極８２５には複数の開口部８２６が設けられてい
る。開口部８２６には反射電極８２５が存在せず、構造体８２０及び透明電極８２３が突
出している（図１５（Ｂ）参照）。開口部８２６から、バックライトの光を透過させるこ
とで、画素電極を透過型液晶表示装置の画素電極として機能させることができる。
【０２１３】
本実施の形態に示す半透過型液晶表示装置は、反射電極８２５と透明電極８２３が、絶縁
層８２４で電気的に分離されている。また、透明電極８２３に与える電位をトランジスタ
８５１で制御し、反射電極８２５に与える電位をトランジスタ８６１で制御できるため、
反射電極８２５と透明電極８２３の電位をそれぞれ独立して制御することができる。この
ため、半透過型液晶表示装置を透過型として機能させている場合に、反射電極８２５上の
液晶表示を黒表示となるようにすることができる。
【０２１４】
また、図１６は、図１５（Ｂ）とは異なる例を示す断面図であり、開口部８２６において
、構造体８２０及び透明電極８２３が突出していない構造を有する本発明の一実施形態で
ある。図１５（Ｂ）では、バックライト射出光口８４１と開口部８２６はほぼ同一サイズ
であるのに対して、図１６では、バックライト射出光口８４１のサイズと開口部８２６の
サイズが異なり、バックライト入射光口８４２からの距離も異なる。従って、図１６と比
較して図１５（Ｂ）のほうが透過光量を大きくすることができ、好ましい断面形状と言え
る。
【０２１５】
開口部８２６には、開口部８２６と重畳して構造体８２０が形成されている。図１５（Ｂ
）は、図１４におけるＴ１−Ｔ２部の断面図であり、画素電極と構造体８２０の構成を示
している。図１５（Ｃ）は、部位８８０の拡大図であり、図１５（Ｄ）は、部位８８１の
拡大図である。
【０２１６】
反射光８３２は、反射電極８２５で反射された外光を示している。有機樹脂膜８２２は、
上面に凹凸状の湾曲面を有している。反射電極８２５にその凹凸形状の湾曲面を反映させ
ることで、反射領域の面積を増やし、また、表示映像以外の写り込みが軽減されるため、
表示映像の視認性を高めることができる。断面形状において湾曲面を有する反射電極８２
５の最も屈曲している点から、相対向する２つの傾斜面がなす角度θＲは、９０°以上、
好ましくは１００°以上１２０°以下とするとよい（図１５（Ｄ）参照）。
【０２１７】
構造体８２０は、開口部８２６側にバックライト射出光口８４１を有し、バックライト（
図示せず）側にバックライト入射光口８４２を有している。また、構造体８２０の上部は
、反射電極８２５の表面よりも上方に位置し、反射電極の上端部よりも突出した形状、即
ち、構造体８２０の上端部と反射電極の上端部との距離Ｈが０．１μｍ以上３μｍ以下、
好ましくは０．３μｍ以上２μｍ以下である。また、バックライト射出光口８４１の面積
よりも、バックライト入射光口８４２の面積が大きく形成されている。構造体８２０の側
面（バックライト射出光口８４１とバックライト入射光口８４２以外の面）には、反射層
８２１が形成されている。構造体８２０は、酸化シリコン、窒化シリコン、酸化窒化シリ
コンなどの、透光性を有する材料を用いることができる。反射層８２１は、アルミニウム
（Ａｌ）や銀（Ａｇ）などの、光の反射率が高い材料を用いることができる。
【０２１８】
バックライトから発せられた透過光８３１は、バックライト入射光口８４２を通って構造
体８２０に入射する。入射した透過光８３１の一部はそのままバックライト射出光口８４
１から射出されるが、一部は反射層８２１によりバックライト射出光口８４１に向かって
反射され、一部はさらに反射して、バックライト入射光口８４２へ戻ってしまう。
【０２１９】
この時、構造体８２０のバックライト射出光口８４１とバックライト入射光口８４２を通
る構造体８２０の断面形状を見ると、左右に相対向する側面は傾斜面となっている。それ
ぞれの側面のなす角度θＴを、９０°未満、好ましくは１０°以上６０°以下とすること
で、バックライト入射光口８４２から入射した透過光８３１を効率よくバックライト射出
光口８４１へ導くことができる（図１５（Ｃ）参照）。
【０２２０】
例えば、１つの画素において、画素電極の面積を１００％とし、また、反射電極として機
能する電極面積をＳＲ、透過電極として機能する電極面積（開口部８２６の面積）をＳＴ
とする。その場合、従来の半透過型液晶表示装置では、反射電極として機能する電極面積
ＳＲと透過電極として機能する電極面積ＳＴとの合計面積が、画素電極の面積１００％に
相当する。本実施の形態で示した画素構成を有する半透過型液晶表示装置では、透過電極
として機能する電極面積ＳＴがバックライト入射光口８４２の面積に相当するため、開口
部８２６の面積ＳＴを大きくすることができる。また、透過電極として機能する電極面積
ＳＴがバックライト入射光口８４２の面積に相当するため、バックライトの輝度を上げる
ことなく透過光量を向上させることができる。これにより、反射電極として機能する電極
面積ＳＲと透過電極として機能する電極面積ＳＴの合計面積を１００％以上とすることが
できる。つまり、見かけ上の画素電極の面積を１００％以上とすることができる。
【０２２１】
本実施の形態を用いることで、消費電力を増やさずにより明るく表示品位の良い半透過型
液晶表示装置を得ることができる。
【０２２２】
（実施の形態８）
本実施の形態においては、上記実施の形態で説明した液晶表示装置を具備する電子機器の
例について説明する。
【０２２３】
図１３（Ａ）は電子書籍（Ｅ−ｂｏｏｋともいう）であり、筐体９６３０、表示部９６３
１、操作キー９６３２、太陽電池９６３３、充放電制御回路９６３４を有することができ
る。図１３（Ａ）に示した電子書籍は、様々な情報（静止画、動画、テキスト画像など）
を表示する機能、カレンダー、日付又は時刻などを表示部に表示する機能、表示部に表示
した情報を操作又は編集する機能、様々なソフトウェア（プログラム）によって処理を制
御する機能、等を有することができる。なお、図１３（Ａ）では充放電制御回路９６３４
の一例としてバッテリー９６３５、ＤＣＤＣコンバータ（以下、コンバータ９６３６と略
記）を有する構成について示している。
【０２２４】
図１３（Ａ）に示す構成とすることにより、表示部９６３１として半透過型の液晶表示装
置を用いる場合、比較的明るい状況下での使用も予想され、太陽電池９６３３による発電
、及びバッテリー９６３５での充電を効率よく行うことができ、好適である。なお太陽電
池９６３３は、筐体９６３０の表面及び裏面に効率的なバッテリー９６３５の充電を行う
構成とすることができるため好適である。なおバッテリー９６３５としては、リチウムイ
オン電池を用いると、小型化を図れる等の利点がある。
【０２２５】
また図１３（Ａ）に示す充放電制御回路９６３４の構成、及び動作について図１３（Ｂ）
にブロック図を示し説明する。図１３（Ｂ）には、太陽電池９６３３、バッテリー９６３
５、コンバータ９６３６、コンバータ９６３７、スイッチＳＷ１乃至ＳＷ３、表示部９６
３１について示しており、バッテリー９６３５、コンバータ９６３６、コンバータ９６３
７、スイッチＳＷ１乃至ＳＷ３が充放電制御回路９６３４に対応する箇所となる。
【０２２６】
まず外光により太陽電池９６３３により発電がされる場合の動作の例について説明する。
太陽電池で発電した電力は、バッテリー９６３５を充電するための電圧となるようコンバ
ータ９６３６で昇圧または降圧がなされる。そして、表示部９６３１の動作に太陽電池９
６３３からの電力が用いられる際にはスイッチＳＷ１をオンにし、コンバータ９６３７で
表示部９６３１に必要な電圧に昇圧または降圧をすることとなる。また、表示部９６３１
での表示を行わない際には、ＳＷ１をオフにし、ＳＷ２をオンにしてバッテリー９６３５
の充電を行う構成とすればよい。
【０２２７】
次いで外光により太陽電池９６３３により発電がされない場合の動作の例について説明す
る。バッテリー９６３５に蓄電された電力は、スイッチＳＷ３をオンにすることでコンバ
ータ９６３７により昇圧または降圧がなされる。そして、表示部９６３１の動作にバッテ
リー９６３５からの電力が用いられることとなる。
【０２２８】
なお太陽電池９６３３については、充電手段の一例として示したが、他の手段によるバッ
テリー９６３５の充電を行う構成であってもよい。また他の充電手段を組み合わせて行う
構成としてもよい。
【０２２９】
本実施の形態は、他の実施の形態に記載した構成と適宜組み合わせて実施することが可能
である。
【符号の説明】
【０２３０】
１００    液晶表示装置
１０１    画像信号供給源
１０２    Ａ／Ｄ変換回路
１１０    画像処理回路
１１１    記憶回路
１１２    比較回路
１１３    表示制御回路
１１４    フィールドシーケンシャル信号生成回路
１１５    選択回路
１２０    表示パネル
１２１    駆動回路
１２２    画素部
１２３    画素部
１２３ａ    サブ画素
１２３ｂ    サブ画素
１２５ａ    偏光板
１２５ｂ    偏光板
１２６    ＦＰＣ
１３０    バックライト部
１３１    バックライト制御回路
１３２    バックライト
１３３    発光素子
１３３Ｒ    ＬＥＤ
１３３Ｇ    ＬＥＤ
１３３Ｂ    ＬＥＤ
１３４    拡散板
１３５    光
１３９    外光
１４０    アナログ画像信号
１４１    デジタル画像信号
１４２    ＬＣ画像信号
１４３    バックライト信号
１５１    画素部
１５２    第１の走査線
１５３    第１の信号線
１５４    第２の走査線
１５５    第２の信号線
１５６    画素
１５７    第１の走査線駆動回路
１５８    第１の信号線駆動回路
１５９    第２の走査線駆動回路
１６０    第２の信号線駆動回路
１６１    透過電極部
１６２    反射電極部
１６３    画素トランジスタ
１６４    液晶素子
１６５    容量素子
１６６    画素トランジスタ
１６７    液晶素子
１６８    容量素子
１６９    共通電極
１７０    容量線
１９０    液晶表示モジュール
３０１    動画表示期間
３０２    静止画表示期間
３０３    静止画書き込み期間
３０４    静止画保持期間
３１１    発光素子
４００    基板
４０１    ゲート電極層
４０２    ゲート絶縁層
４０３    酸化物半導体層
４０５ａ    ソース電極層
４０５ｂ    ドレイン電極層
４０７    絶縁膜
４０９    絶縁膜
４１０    トランジスタ
４１３    層間膜
４２０    トランジスタ
４２７    絶縁層
４３０    トランジスタ
４３６ａ    配線層
４３６ｂ    配線層
４３７    絶縁層
４４０    トランジスタ
４４１    基板
４４２    基板
４４４    液晶層
４４８    共通電極層
４６０ａ    配向膜
４６０ｂ    配向膜
４８０    絶縁層
４８２    絶縁層
４９８    反射領域
４９９    透過領域
５０５    基板
５０６    保護絶縁層
５０７    ゲート絶縁層
５１０    トランジスタ
５１１    ゲート電極層
５１５ａ    ソース電極層
５１５ｂ    ドレイン電極層
５１６    絶縁層
５３０    酸化物半導体膜
５３１    酸化物半導体層
５５０    トランジスタ
５５１    ゲート電極層
５５３    半導体層
５５５ａ    ソース電極層又はドレイン電極層
５５５ｂ    ソース電極層又はドレイン電極層
５５８    容量配線層
５６０    トランジスタ
５６３    半導体層
５６５ａ    ソース電極層又はドレイン電極層
５６５ｂ    ソース電極層又はドレイン電極層
５７１    絶縁膜
５７６    透明電極層
５７７    反射電極層
５７９    導電層
５８０    配線層
８００    基板
８２０    構造体
８２１    反射層
８２２    有機樹脂膜
８２３    透明電極
８２４    絶縁層
８２５    反射電極
８２６    開口部
８２７    絶縁膜
８２８    絶縁膜
８３１    透過光
８３２    反射光
８４１    バックライト射出光口
８４２    バックライト入射光口
８５１    トランジスタ
８５２    配線
８５３    容量配線
８５４    配線
８５５    コンタクトホール
８５６    ソース電極
８５７    ドレイン電極
８５８    ゲート電極
８６１    トランジスタ
８６２    配線
８６３    容量配線
８６４    配線
８６５    コンタクトホール
８６６    ソース電極
８６７    ドレイン電極
８６８    ゲート電極
８７１    保持容量
８７２    保持容量
８８０    部位
８８１    部位
９６３０    筐体
９６３１    表示部
９６３２    操作キー
９６３３    太陽電池
９６３４    充放電制御回路
９６３５    バッテリー
９６３６    コンバータ
９６３７    コンバータ
【図１】
2020177251.tif 000003
【図２】
2020177251.tif 000004
【図３】
2020177251.tif 000005
【図４】
2020177251.tif 000006
【図５】
2020177251.tif 000007
【図６】
2020177251.tif 000008
【図７】
2020177251.tif 000009
【図８】
2020177251.tif 000010
【図９】
2020177251.tif 000011
【図１０】
2020177251.tif 000012
【図１１】
2020177251.tif 000013
【図１２】
2020177251.tif 000014
【図１３】
2020177251.tif 000015
【図１４】
2020177251.tif 000016
【図１５】
2020177251.tif 000017
【図１６】
2020177251.tif 000018